(57)【要約】【課題】実演家による実演を収録して得た電子情報内容を一元編集及び実演家の著作権を一元管理できるようにすると共に、その実演家による実演映像及び実演音楽に関する実演映像及び音楽データを全世界等に配信できるようにする。【解決手段】実演家による実演を収録して得た電子情報内容を出力する複数の情報収録送出装置＃Ｌｉと、各々の情報収録送出装置＃Ｌｉから電子情報内容を入力して情報編集処理した実演映像及び実演音楽データを配信する情報編集配信装置１と、この情報編集配信装置１から実演映像及び音楽データを受信して処理する情報処理装置＃Ｐｊと、少なくとも、情報収録送出装置＃Ｌｉと情報編集配信装置１とを接続する通信手段２Ａ、２Ｂとを備え、この情報編集配信装置１は、実演家による実演映像及び実演音楽を自動収録するように通信手段を通じて情報収録送出装置＃Ｌｉの各々を遠隔制御するものである。【選択図】        図１
2004328377.tif 000002
【特許請求の範囲】
【請求項１】
実演家による実演に基づく電子情報内容を配信するシステムであって、
前記実演家による実演を収録して得た映像音楽素材情報を出力する複数の情報収録送出装置と、
各々の前記情報収録送出装置から映像音楽素材情報を入力して情報編集処理した実演映像及び実演音楽に係る電子情報内容を配信する情報編集配信装置と、
前記情報編集配信装置から電子情報内容を受信して処理する情報処理装置と、
少なくとも、前記情報収録送出装置と情報編集配信装置とを接続する通信手段とを備え、
前記情報編集配信装置は、
前記実演家による実演映像及び実演音楽を自動収録するように前記通信手段を通じて前記情報収録送出装置の各々を遠隔制御することを特徴とする電子情報配信システム。
【請求項２】
前記情報収録送出装置は、
前記実演家による実演映像を撮影する遠隔制御可能な複数の撮影手段と、
前記実演家による実演音楽を収録する遠隔制御可能な複数の収音手段と、
前記撮影手段により撮影された実演映像及び収音手段により収録された実演音楽を映像音楽素材情報に変換して出力する情報出力制御手段とを備え、
前記情報通信制御手段は、
前記情報編集配信装置から遠隔制御情報を受信し、前記実演家による実演映像及び実演音楽を自動収録するように当該遠隔制御情報に基づいて前記撮影手段及び収音手段を遠隔制御することを特徴とする請求項１に記載の電子情報配信システム。
【請求項３】
前記情報編集配信装置は、
前記情報収録送出装置を遠隔制御する情報を含む操作情報を入力する入力手段と、
各々の前記情報収録送出装置から映像音楽素材情報を入力して情報編集処理する情報編集手段と、
前記情報編集手段により編集された実演映像及び実演音楽に係る電子情報内容を配信する情報配信手段と、
前記入力手段からの操作情報に基づいて情報編集手段及び情報配信手段の入出力を制御する編集配信制御手段とを備え、
前記編集配信制御手段は、
前記情報収録送出装置へ遠隔制御情報を送信し、前記実演家による実演映像及び実演音楽を自動収録するように前記撮影手段及び収音手段を遠隔制御することを特徴とする請求項１に記載の電子情報配信システム。
【請求項４】
前記情報収録送出装置を世界各国又は国内の実演地に配置すると共に、前記情報編集配信装置を編集地となる一の国又は国内に配置し、
前記編集地の情報編集配信装置において、
前記情報収録送出装置によって収録される映像音楽素材情報を一元編集及び実演家の著作権を一元管理すると共に、前記実演家による実演映像及び実演音楽に関する電子情報内容を全世界又は国内に配信することを特徴とする請求項１に記載の電子情報配信システム。
【請求項５】
前記情報編集配信装置によって情報編集処理された電子情報内容に関して前記実演家の承諾を取得し、
前記実演家の承諾を取得した後の前記電子情報内容を前記情報処理装置へ配信することを特徴とする請求項１に記載の電子情報配信システム。
【請求項６】
前記情報編集配信装置において、
前記電子情報内容に複製禁止処理を施すことを特徴とする請求項１に記載の電子情報配信システム。
【請求項７】
前記情報編集配信装置において、
前記一の実演地に係る複数の実演映像及び実演音楽に関する電子情報内容を多重処理して配信し、前記情報処理装置で前記一の実演地に係る電子情報内容を任意に選択可能なようにしたことを特徴とする請求項１に記載の電子情報配信システム。
【請求項８】
前記情報編集配信装置から情報処理装置へ複製困難なデータストリーミング形式により実演映像及び実演音楽に係る電子情報内容を配信することを特徴とする請求項１に記載の電子情報配信システム。
【請求項９】
電子情報内容を配信するシステムの情報編集配信装置に接続されると共に、実演家による実演に基づく実演情報及び実演音楽を収録出力処理する装置であって、
前記実演家による実演映像を撮影する遠隔制御可能な複数の撮影手段と、
前記実演家による実演音楽を収録する遠隔制御可能な複数の収音手段と、
前記撮影手段により撮影された実演映像及び収音手段により収録された実演音楽を映像音楽素材情報に変換して出力する情報出力制御手段とを備え、
前記情報出力制御手段は、
前記情報編集配信装置から遠隔制御情報を受信し、前記実演家による実演映像及び実演音楽を自動収録するように前記撮影手段及び収音手段を遠隔制御することを特徴とする情報収録送出装置。
【請求項１０】
電子情報内容を配信するシステムの情報収録送出装置から映像音楽素材情報を入力して編集配信処理する装置であって、
前記情報収録送出装置を遠隔制御するための情報を含む操作情報を入力する入力手段と、
各々の前記情報収録送出装置から映像音楽素材情報を入力して情報編集処理する情報編集手段と、
前記情報編集手段により編集された実演映像及び実演音楽に係る電子情報内容を配信する情報配信手段と、
前記入力手段からの操作情報に基づいて情報編集手段及び情報配信手段の入出力を制御する編集配信制御手段とを備え、
前記編集配信制御手段は、
前記情報収録送出装置へ遠隔制御情報を送信し、前記実演家による実演映像及び実演音楽を自動収録するように前記情報収録送出装置を遠隔制御することを特徴とする情報編集配信装置。
【請求項１１】
前記編集配信制御手段は、
前記情報編集手段によって情報編集処理された電子情報内容に関して前記実演家の承諾を取得し、
前記実演家の承諾を取得した後の前記電子情報内容を前記情報配信手段から情報利用者へ配信するように制御することを特徴とする請求項１０に記載の情報編集配信装置。
【請求項１２】
前記編集配信制御手段は、
前記電子情報内容に複製禁止処理を施すように前記情報配信手段を制御することを特徴とする請求項１０に記載の情報編集配信装置。
【請求項１３】
前記編集配信制御手段は、
一の実演地に係る複数の前記実演映像及び実演音楽に関する電子情報内容を多重処理して配信し、前記情報利用者の側で前記一の実演地に係る電子情報内容を任意に選択可能なように前記情報編集手段を制御することを特徴とする請求項１０に記載の情報編集配信装置。
【請求項１４】
実演家による実演に基づく電子情報内容を配信して処理する方法であって、
実演地の各々に前記実演家による実演を収録して映像音楽素材情報を出力する情報収録送出装置を配置し、
各々の前記情報収録送出装置から映像音楽素材情報を入力して情報編集処理をし、当該情報編集処理後の実演映像及び実演音楽に係る電子情報内容を配信する情報編集配信装置を編集地に配置し、
前記実演地に配置された情報収録送出装置と前記編集地に配置された情報編集配信装置とを通信手段を介して接続し、
前記実演家による実演映像及び実演音楽を自動収録するように前記通信手段を通じて前記情報収録送出装置の各々を遠隔制御し、
遠隔制御される前記実演地の情報収録送出装置から得られる映像音楽素材情報を前記編集地の情報編集配信装置で情報編集処理し、
前記情報編集処理により得られた電子情報内容を情報配信処理することを特徴とする情報処理方法。
【請求項１５】
前記情報収録送出装置を世界各国又は国内の実演地に配置すると共に、前記情報編集配信装置を編集地となる一の国又は国内に配置し、
前記編集地の情報編集配信装置において、
前記情報収録送出装置によって収録される映像音楽素材情報を一元編集及び実演家の著作権を一元管理すると共に、前記実演家による実演映像及び実演音楽に関する電子情報内容を全世界又は国内に配信することを特徴とする請求項１４に記載の情報処理方法。
【請求項１６】
前記情報編集配信装置によって情報編集処理された電子情報内容に関して前記実演家の承諾を取得し、
前記実演家の承諾を取得した後の前記電子情報内容を情報利用者へ配信することを特徴とする請求項１４に記載の情報処理方法。
【請求項１７】
前記情報編集配信装置において、
前記電子情報内容に複製禁止処理を施すことを特徴とする請求項１４に記載の情報処理方法。
【請求項１８】
前記情報編集配信装置において、
前記一の実演地に係る複数の実演映像及び実演音楽に関する電子情報内容を多重処理して配信し、前記情報利用者の側で前記一の実演地に係る電子情報内容を任意に選択可能なようにしたことを特徴とする請求項１４に記載の情報処理方法。
【請求項１９】
前記情報編集配信装置から情報利用者へ複製困難なデータストリーミング形式により実演映像及び実演音楽に係る電子情報内容を配信することを特徴とする請求項１４に記載の情報処理方法。
【発明の詳細な説明】
【０００１】
【発明の属する技術分野】
本発明は、ライブハウス等で実演される実演家の実演映像及び実演音楽を配信提供する映像付き高音質音楽ライブ配信ビジネス等に適用して好適な電子情報配信システム、情報収録送出装置、情報編集配信装置及び情報処理方法に関する。
【０００２】
詳しくは、実演家による実演を収録して得た映像音楽素材情報を入力し、これらを情報編集処理した実演映像及び音楽に係る電子情報内容を配信する情報編集配信装置を備え、その実演家による実演映像及び実演音楽を自動収録するように通信手段を通じて情報収録送出装置の各々を遠隔制御して、世界各地に存在するライブハウス等で実演され、この実演によって収録される映像音楽素材情報を一元編集及び実演家の著作権を一元管理できるようにすると共に、その実演家による実演映像及び音楽に関する電子情報内容を全世界に配信可能な電子情報配信システムを構築できるようにしたものである。
【０００３】
【従来の技術】
近年、ブロードバンド時代に移行し、情報量の多いデジタル映像及び音楽を配信するシステムが利用される場合が多くなってきた。例えば、放送局が複数の映像を同時に多重数デジタル送信し、受信側ではいずれかのチャンネルの映像及び音楽（コンテンツ）等を選択するようにした映像及び音楽提供サービスシステムが普及し始めている。
【０００４】
このように、情報利用者にとって、コンテンツの選択の自由度が拡大する方向にある。また、情報提供業者側ではインターネット配信の特長を生かし、ユーザにとって魅力的なコンテンツを制作及び提供する必要性が益々増加している。
【０００５】
一方、熱心な音楽ファンは、ライブハウスに行って、ミュージシャンの生演奏（ライブ）を直に聞いて楽しむ傾向にある。この種のライブハウスには、ミュージシャンが演奏を行うステージや、ファンのための客席が設けられる。このステージには、音響効果を上げるために複数の固定又は移動可能なマイクロフォン及び、これらのマイクロフォンで収音した音声等を拡声する複数のスピーカが設置される。
【０００６】
また、情報提供業者側では生演奏の映像及び音楽を収録してＣＤ等の記録媒体を作成したり、コンテンツ配信を行うために、マイクロフォンの他に複数のカメラが準備される。これらのカメラ操作、例えば、映像のアングル切換え・ズーム・パン・チルト機能の調整は、現場の収録オペレータ（スタップ）によってなされる。マイクロフォン操作においても、同様にして、マイクの指向性確認・ズーム機能・音声入力レベル等が調整される。
【０００７】
このようなライブハウスで収録されたライブ映像及び音楽をソフトウエアにして情報利用者に提供する場合、収録後の電子情報内容を情報提供業者で映像・音声を編集して記録媒体に記録して販売される。また、ライブハウスから各家庭へ生中継する場合は、客席の前をカメラマンが移動して、複数のアングルからライブ映像を撮影し、この複数のアングルの映像を同時に多重数デジタル送信し、受信側ではいずれかのアングルの映像を選択する方法が採られる。これにより、情報利用者側ではカメラマンが撮影したアングルのライブ映像を選んで見ることができる。
【０００８】
なお、特許文献１には遠隔観戦サービスシステムが開示されている。この遠隔観戦サービスシステムによれば、競技場に設置された撮影システムと、情報提供業者に配置されたサーバと、情報利用者に設置された情報処理装置とがネットワークにより接続される。また、この撮影システムにおいて、競技場には複数のカメラが備えられ、予め情報利用者の情報処理装置に備えられた操作装置を操作して、競技場に備えられた複数のカメラの撮影条件を変えるように撮影制御装置を制御するようになされる。これらのカメラで撮影された映像は、サーバを通じて利用者の情報処理装置に配信するようになされる。
【０００９】
このように構成すると、情報利用者が設定した撮影条件で複数のカメラが撮影した映像を受信することができ、競技場外の各家庭や、集会所等の遠隔地において、情報利用者それぞれの希望や嗜好に合わせた場面の映像を視ることができる。従って、仮想的にスタンド観戦の醍醐味を味合うことができ、臨場感あふれた映像を提供できる。
【００１０】
【特許文献１】
特開２００２−１６５２００号公報（第４頁，右欄  図１）
【００１１】
【発明が解決しようとする課題】
ところで、従来例に係る映像及び音楽提供サービスシステムによれば、次のような問題がある。
【００１２】
▲１▼  従来からのナローバンドでは送受信できるデータ量が少ないため、一般的には音声は強力な圧縮をかけた２ＣＨステレオで音質は良いとは言えず、映像も動きが不自然なものが多かった。
【００１３】
▲２▼  熱心な音楽ファンや、ミュージシャンにとって、ナローバンドでのコンテンツ内容に不満を持っている場合が多い。
【００１４】
▲３▼  既存のソフトウエア（発売済ＣＤやＤＶＤ音楽ソフト）等を改めてネット配信している現状の音楽配信システムでは、情報利用者にとって新規性も無ければ新たな興味の対象にも成りにくいので、なかなか市場拡大に結びつかないし、熱烈なファン層も獲得できないのが実情である。
【００１５】
▲４▼  また、ライブハウスでの収録においてもカメラ操作、マイクロフォンのセッティング及び調整等に人手がかかり面倒な部分が多い。収録時に客席の前をカメラマンが動いたりするとライブ鑑賞時には視界を遮ったりと迷惑な面も多々ある。
【００１６】
▲５▼  特許文献１によれば、情報利用者の情報処理装置から撮影システムの撮影制御装置を制御する形態が採られるので、不特定多数の情報利用者がカメラの撮影条件を変える範囲が限られてしまう。
【００１７】
そこで、この発明はこのような従来の課題を解決したものであって、実演家による実演を収録して得た映像音楽素材情報を一元編集及び実演家の著作権を一元管理できるようにすると共に、その実演家による実演映像及び実演音楽に関する電子情報内容を全世界等に配信できるようにした電子情報配信システム、情報収録送出装置、情報編集配信装置及び情報処理方法を提供することを目的とする。
【００１８】
【課題を解決するための手段】
上述した課題は、実演家による実演に基づく電子情報内容を配信するシステムであって、実演家による実演を収録して得た映像音楽素材情報を出力する複数の情報収録送出装置と、各々の情報収録送出装置から映像音楽素材情報を入力して情報編集処理した実演映像及び実演音楽に係る電子情報内容を配信する情報編集配信装置と、この情報編集配信装置から電子情報内容を受信して処理する情報処理装置と、少なくとも、情報収録送出装置と情報編集配信装置とを接続する通信手段とを備え、この情報編集配信装置は、実演家による実演映像及び実演音楽を自動収録するように通信手段を通じて情報収録送出装置の各々を遠隔制御することを特徴とする電子情報配信システムによって解決される。
【００１９】
本発明に係る電子情報配信システムによれば、実演家による実演に基づく電子情報内容を配信する場合に、例えば、編集地となる一の国又は国内に情報編集配信装置が配置されると共に、世界各国又は国内の実演地に情報収録送出装置が配置される。これらの情報収録送出装置と情報編集配信装置とが通信手段を通じて接続される。これを前提にして、情報編集配信装置は実演家による実演映像及び実演音楽を自動収録するように通信手段を通じて情報収録送出装置の各々を遠隔制御するようになされる。
【００２０】
例えば、情報収録送出装置の情報出力制御手段では、情報編集配信装置から遠隔制御情報を受信し、実演家による実演映像及び実演音楽を自動収録するように撮影手段及び収音手段を遠隔制御する。撮影手段では、実演家による実演映像を撮影するように遠隔制御される。収音手段では実演家による実演音楽を収録するように遠隔制御される。撮影手段により撮影された実演映像及び収音手段により収録された実演音楽は情報出力制御手段により映像音楽素材情報に変換されて情報編集配信装置へ出力するようになされる。
【００２１】
情報編集配信装置では、各々の情報収録送出装置から映像音楽素材情報を入力して情報編集処理した実演映像及び実演音楽に係る電子情報内容が配信される。情報処理装置では情報編集配信装置から電子情報内容を受信して処理するようになされる。
【００２２】
従って、実演地における実演映像を撮影する撮影手段の操作、実演音楽を収録する収音手段の操作及び、これらの撮影・収録レベルの調整等を人手を介さずに編集地において設定できるので、実演地（ライブハウス）での収録オペレータの無人化を図ることができる。これにより、世界各地に存在するライブハウス等で実演され、この実演によって収録される映像音楽素材情報を一元編集及び実演家の著作権を一元管理することができ、その実演家による実演映像及び実演音楽に関する電子情報内容を全世界に配信する電子情報配信システムを構築することができる。
【００２３】
本発明に係る情報収録送出装置は、電子情報内容を配信するシステムの情報編集配信装置に接続されると共に、実演家による実演に基づく実演情報及び実演音楽を収録出力処理する装置であって、実演家による実演映像を撮影する遠隔制御可能な複数の撮影手段と、この実演家による実演音楽を収録する遠隔制御可能な複数の収音手段と、撮影手段により撮影された実演映像及び収音手段により収録された実演音楽を映像音楽素材情報に変換して出力する情報出力制御手段とを備え、この情報出力制御手段は、情報編集配信装置から遠隔制御情報を受信し、実演家による実演映像及び実演音楽を自動収録するように撮影手段及び収音手段を遠隔制御することを特徴とするものである。
【００２４】
本発明に係る情報収録送出装置によれば、実演家による実演に基づく実演情報及び実演音楽を収録出力処理する場合に、電子情報内容を配信するシステムの情報編集配信装置に接続される。これを前提にして、情報出力制御手段では、情報編集配信装置から遠隔制御情報を受信し、実演家による実演映像及び実演音楽を自動収録するように撮影手段及び収音手段を遠隔制御する。撮影手段では、実演家による実演映像を撮影するように遠隔制御される。収音手段では実演家による実演音楽を収録するように遠隔制御される。撮影手段により撮影された実演映像及び収音手段により収録された実演音楽は情報出力制御手段により映像音楽素材情報に変換されて情報編集配信装置へ出力するようになされる。
【００２５】
従って、撮影手段や収音手段の操作及び、これらの撮影・収録レベルの調整等を人手を介さずに設定できるので、実演地での収録オペレータの無人化を図ることができる。これにより、実演家による実演映像及び実演音楽に関する電子情報内容を全世界に配信する電子情報配信システムの構築に十分応用することができる。
【００２６】
本発明に係る情報編集配信装置は、電子情報内容を配信するシステムの情報収録送出装置から映像音楽素材情報を入力して編集配信処理する装置であって、情報収録送出装置を遠隔制御するための情報を含む操作情報を入力する入力手段と、各々の情報収録送出装置から映像音楽素材情報を入力して情報編集処理する情報編集手段と、この情報編集手段により編集された実演映像及び実演音楽に係る電子情報内容を配信する情報配信手段と、入力手段からの操作情報に基づいて情報編集手段及び情報配信手段の入出力を制御する編集配信制御手段とを備え、この編集配信制御手段は、情報収録送出装置へ遠隔制御情報を送信し、実演家による実演映像及び実演音楽を自動収録するように情報収録送出装置を遠隔制御することを特徴とするものである。
【００２７】
本発明に係る情報編集配信装置によれば、情報収録送出装置から映像音楽素材情報を入力して編集配信処理する場合に、例えば、実演地に配置された情報収録送出装置と編集地に配置された情報編集配信装置とが接続される。これを前提にして、入力手段は情報収録送出装置を遠隔制御するための情報を含む操作情報を入力するように操作される。編集配信制御手段では入力手段からの操作情報に基づいて情報収録送出装置へ遠隔制御情報を送信し、実演家による実演映像及び実演音楽を自動収録するように情報収録送出装置を遠隔制御する。これと共に、編集配信制御手段は情報編集手段及び情報配信手段の入出力を制御する。この制御によって情報編集手段では、各々の情報収録送出装置から映像音楽素材情報を入力して情報編集処理がなされる。情報配信手段では、この情報編集手段により編集された実演映像及び実演音楽に係る電子情報内容を情報利用者へ配信するようになされる。
【００２８】
従って、実演地における実演映像を撮影する撮影手段の操作、実演音楽を収録する収音手段の操作及び、これらの撮影・収録レベルの調整等を人手を介さずに編集地で設定できるので、実演地での収録オペレータの無人化を図ることができる。これにより、世界各地に存在するライブハウス等で実演され、この実演によって収録される映像音楽素材情報を一の国で一元編集及び実演家の著作権を一元管理することができ、その実演家による実演映像及び実演音楽に関する電子情報内容を全世界に配信する電子情報配信システムの構築に十分応用することができる。
【００２９】
本発明に係る情報処理方法は、実演家による実演に基づく電子情報内容を配信して処理する方法であって、実演地の各々に実演家による実演を収録して映像音楽素材情報を出力する情報収録送出装置を配置し、各々の情報収録送出装置から映像音楽素材情報を入力して情報編集処理をし、当該情報編集処理後の実演映像及び実演音楽に係る電子情報内容を配信する情報編集配信装置を編集地に配置し、実演地に配置された情報収録送出装置と編集地に配置された情報編集配信装置とを通信手段を介して接続し、実演家による実演映像及び実演音楽を自動収録するように通信手段を通じて情報収録送出装置の各々を遠隔制御し、ここで遠隔制御される実演地の情報収録送出装置から得られる映像音楽素材情報を編集地の情報編集配信装置で情報編集処理し、ここで情報編集処理により得られた電子情報内容を情報配信処理することを特徴とするものである。
【００３０】
本発明に係る情報処理方法によれば、実演家による実演に基づく電子情報内容を配信して処理する場合に、実演地における実演映像を撮影する撮影手段の操作、実演音楽を収録する収音手段の操作及び、これらの撮影・収録レベルの調整等を人手を介さずに編集地において設定できるので、実演地での収録オペレータの無人化を図ることができる。
【００３１】
従って、世界各地に存在するライブハウス等で実演され、この実演によって収録される映像音楽素材情報を一元編集及び実演家の著作権を一元管理することができ、その実演家による実演映像及び実演音楽に関する電子情報内容を全世界に配信する電子情報配信システムの構築に寄与するところが大きい。
【００３２】
【発明の実施の形態】
続いて、この発明に係る電子情報配信システム、情報収録送出装置、情報編集配信装置及び情報処理方法の一実施の形態について、図面を参照しながら説明をする。
【００３３】
（１）実施形態
図１は、本発明に係る実施形態としての電子情報配信システム１０の構成例を示す概念図である。
この実施形態では、実演家による実演を収録して得た映像音楽素材情報を入力して情報編集処理した実演映像及び実演音楽に係る電子情報内容を配信する情報編集配信装置を備え、その実演家による実演映像及び実演音楽を自動収録するように通信手段を通じて情報収録送出装置の各々を遠隔制御して、世界各地に存在するライブハウス等で実演され、この実演によって収録される映像音楽素材情報を一元編集及び実演家の著作権を一元管理できるようにすると共に、その実演家による実演映像及び実演音楽に関する電子情報内容を全世界に配信可能な電子情報配信システムを構築できるようにしたものである。
【００３４】
図１に示す電子情報配信システム１０は、実演家Ｍｉ（ｉ＝１〜ｎ）による実演に基づく電子情報内容を配信する上位概念としてのシステムである。このシステム１０は実演地（以下ライブハウスという）等で実演される実演家Ｍｉの実演映像及び実演音楽を配信提供する映像付き高音質音楽ライブ配信ビジネス等に適用して好適である。ここに実演家Ｍｉとは、俳優、舞踊家、演奏家、歌手、その他実演を行う者、実演を指揮する者、又は演出する者をいう。また、実演とは、著作物を演劇的に演じ、舞い、演奏し、口演し、朗詠し、又はその他の方法により演ずること（これらに類する行為で著作物を演じないが芸能的な性質を有するものを含む）をいう。
【００３５】
ライブハウスとは、実演を観る客の入場が可能な場所であって、実演家Ｍｉが実演する演劇場等をいう。ライブハウスはＣＤ等の基礎となる原盤を作成するための収録スタジオという概念とは異なっている。電子情報配信システム１０はライブハウスに限られることはなく収録スタジオについても適用できる。
【００３６】
このシステム１０には、複数の情報収録送出装置＃Ｌｉ（ｉ＝１〜ｎ）が準備され、各々の情報収録送出装置＃Ｌｉは、例えば世界各国又は国内の各地のライブハウスに配置される。このシステム１０ではライブハウスにおけるオペレータの無人化を想定している。各々の情報収録送出装置＃Ｌｉでは実演家Ｍｉによる実演を収録して得た映像音楽素材データを出力するようになされる。
【００３７】
例えば、ライブハウス内には遠隔制御可能な数台のカメラが配置される。カメラは実演家Ｍｉの映像を撮影する位置に配置される。再生時に、情報利用者（以下ユーザという）の好みの角度からの映像を選択して再生できるようにするためである。これらのカメラにより種々の角度から撮影した実演映像に係る数チャンネル分のライブ映像データが取得される。
【００３８】
また、ライブハウス内には遠隔制御可能な数十台のマイクロフォンが配置される。マイクロフォンの各々は音源の近くに配置される。再生時に、ユーザの好みの音源を選択して再生できるようにするためである。これらのマイクロフォンにより種々の音源から収録したその実演音楽に係る数十チャネル分の音声・音楽データが収録される。これらのカメラにより撮影された実演映像及びマイクロフォンにより収録された実演音楽は、ストリーミング形式の映像音楽素材データに変換して編集地に送出するようになされる。
【００３９】
このシステム１０には情報収録送出装置＃Ｌｉの他に情報編集配信装置１が準備され、例えば、情報編集配信装置１は編集地（以下編集サイトともいう）となる一の国又は国内に配置される。この例では、情報編集配信装置１は情報提供業者４のビジネス地である我が国に配置することを想定している。各々のライブハウスの情報収録送出装置＃Ｌｉと編集サイトの情報編集配信装置１とは通信手段２Ａを通じて接続される。情報編集配信装置１では各々の情報収録送出装置＃Ｌｉから映像音楽素材データを入力して情報編集処理し、編集処理後の実演映像及び実演音楽に係る電子情報内容を配信するようになされる。
【００４０】
このシステム１０では、情報編集配信装置１によって情報編集処理された電子情報内容に関しては、実演家Ｍｉの承諾が取得され、実演家Ｍｉの承諾を得た後の電子情報内容をユーザへ配信するようになされる。この情報編集配信装置１では、実演映像及び実演音楽に係る電子情報内容の不正な複製を防止するために、これらの電子情報内容に複製禁止処理を施すようになされる。例えば、電子情報内容は複製困難なスクランブル処理が施され、スクランブル処理後のデータをストリーミング形式により情報編集配信装置１からユーザへ配信するようになされる。
【００４１】
また、情報編集配信装置１では、一のライブハウスで収録された複数の実演映像及び実演音楽に関する電子情報内容を多重処理して配信するようになされる。
この電子情報内容を多重配信するようにしたのは、視聴者家庭でこれらの電子情報内容を再生するときに、その電子情報内容を好みに応じて選択できるようにしたためである。例えば、好みの角度の実演映像を選択して再生したり、好みの音源を選択して実演音楽を再生できるようになる。このようにすると、ユーザは、世界各国のライブハウスの臨場感を家に居ながらにして楽しむことができる。
【００４２】
更に、視聴者の各家庭、つまり、ユーザＵｊ（ｊ＝１〜ｍ）には情報処理装置＃Ｐｊが各々準備される。編集サイトの情報編集配信装置１と各家庭の情報処理装置＃Ｐｊとは通信手段２Ｂを通じて接続される。各々の情報処理装置＃Ｐｊでは、情報編集配信装置１から電子情報内容を受信して処理するようになされる。
情報処理装置＃Ｐｊにはデスクトップ型やノート型のパーソナルコンピュータ、ホームサーバ、テレビ、ＡＶアンプ、インターネットテレビ等が使用される。各々のライブハウスの情報収録送出装置＃Ｌｉと編集サイトの情報編集配信装置１とは通信手段２Ａを通じて接続される。
【００４３】
少なくとも、情報収録送出装置＃Ｌｉと情報編集配信装置１とは通信手段２Ａにより接続される。このシステム１０で情報編集配信装置１は、実演家Ｍｉによる実演映像及び実演音楽を自動収録するように通信手段２Ａを通じて情報収録送出装置＃Ｌｉの各々を遠隔制御するようになされる。通信手段２Ａ，２Ｂにはインターネットが使用される。インターネットは衛星通信回線や、海底通信ケーブル、公衆電話回線等を組み合わせて構成される。もちろん、情報編集配信装置１とユーザの情報処理装置＃Ｐｊとは通信手段２Ｂを通じて接続される。
【００４４】
当該電子情報配信システム１０における課金処理については、まず、電子機器製造事業者はライブハウスへ情報収録送出装置＃Ｌｉを販売する。もちろん、これに限られることはなく、当該情報収録送出装置＃Ｌｉを貸与により提供するようにしてもよい。また、電子機器製造事業者は編集サイトへ情報編集配信装置１を販売する。もちろん、これに限られることはなく、当該情報編集配信装置１を貸与により提供するようにしてもよい。
【００４５】
また、電子機器製造事業者からユーザへパソコンやインターネットテレビ等の情報処理装置＃Ｐｊを販売する。又は、ソフトウエア事業者は専用の情報処理ソフトウエアをユーザへ販売する。これらの装置やソフトウエアは貸与により提供する形式を採ってもよい。
【００４６】
各ユーザＵｊは電子情報内容を利用する利用料金を情報提供業者４へ支払う。
回線接続事業者には回線接続料を支払うようになされる。情報提供業者４はユーザから収入した利用料金を実演家Ｍｉ及びライブハウス所有者との間で利益分配するようになされる。例えば、実演家Ｍｉに対しては出演料を支払い、ライブハウス所有者には借室料等を支払う。
【００４７】
図２は電子情報配信システム１０における電子情報内容の流れを示す図である。このシステム１０ではｎ＝１０の場合を例に挙げている。図２に示す電子情報配信システム１０によれば、経路▲１▼で映像（ＶＩＤＥＯ）及び音楽（ＡＵＤＩＯ）の調整を遠隔制御するための電子情報内容が送信される。例えば、編集サイト１１に居るオペレータが、実演（ライブ）のリハーサル、または本番中にインターネット経由で映像（ＶＩＤＥＯ）及び音楽（ＡＵＤＩＯ）の調整を遠隔制御（リモートコントロール）する。
【００４８】
このとき、ライブハウス、スタジオ＃１〜＃１０等における実演音楽・音声等の収録レベル及びその圧縮（コンプレッサ）などのマイクロフォン調整や、実演映像のパン、チルト、ズーム及び画質などのカメラ調整が、編集サイト１１、すなわち、図１に示した情報編集配信装置１から遠く離れた国（場所）のライブハウス＃１等にある情報収録送出装置＃Ｌｉに対してインターネット経由で遠隔制御するようになされる。
【００４９】
また、経路▲２▼で映像及び音楽等の遠隔調整制御対象となる電子情報内容が送信される。例えば、ライブハウス＃１等から編集サイト１１にはモニタデータが送出される。このモニタデータは、編集サイト１１で実演音楽・音声等の収録レベル及びその圧縮（コンプレッサ）などのマイクロフォン調整や、実演映像のパン、チルト、ズーム及び画質などのカメラ調整をするために使用される。
【００５０】
編集サイト１１の図示しないモニタ画面には、ライブハウス＃１等から送られてきたモニタデータに基づく、カメラ調整及びマイクロフォン調整画面が表示される。オペレータは、このモニタ画面を視聴しながら、ライブハウスにおける映像及び音声の調整を遠隔制御するようになされる。
【００５１】
更に、経路▲３▼で映像及び音声を収録した実演映像（ライブ映像）及び実演音楽（ライブ音声）がローカルファイルＦ１等に記録される。ローカルファイルＦ１はライブハウス＃１に設けられ、ローカルファイルＦ２はライブハウス＃２に設けられ、・・・・ローカルファイルＦ１０はライブハウス＃１０に各々設けられる。以下でローカルファイルをＦｉ（ｉ＝１〜１０）と記述する。
【００５２】
例えば、ライブハウス＃１等では実演家Ｍｉによるライブ映像及びライブ音声がデジタルの映像音楽素材データとして収録され、一旦、ライブハウス（現場）に配置されている情報収録送出装置＃Ｌｉ内のローカルファイルＦ１に記録される。なお、ライブ映像及びライブ音声は、当該ライブハウス＃１等と編集サイト１１との間の接続回線の容量や、情報収録送出装置＃Ｌｉや、情報編集配信装置１等の送受信機能の速度が確実に保持できる場合には、直接編集サイト１１のストレージに映像音楽素材データとして記録するようにしても良い。
【００５３】
また、経路▲４▼で各ライブハウスハウス等から送出された電子情報内容を編集サイト１１で受信する。例えば、編集サイト１１ではインターネット２０Ａに接続されている複数のライブハウス＃１〜＃１０等の情報収録送出装置＃Ｌｉのローカルファイルから、インターネット経由で、収録された映像音楽素材データを素材ファイル１２に受信する（吸い上げる）ようになされる。
【００５４】
更に編集段階では、経路▲５▼で情報収録送出装置＃Ｌｉから受信した映像音楽素材データを素材ファイル１２から読み出される。例えば、編集サイト１１では、素材ファイル１２から読み出した映像音楽素材データを加工して、ユーザＵｊへ配信されるオプション形態によって決まるチャンネル数やカメラアングル数になるように映像音楽素材データを編集するようになされる。
【００５５】
また、音声編集では、音質の調整も行われる他、通常のマルチトラックソースのミックスダウン作業が行われる。例えば、実演音楽に係る音楽素材データは、ステレオ方式や５．１サラウンド方式にミックスダウンされる。また、実演映像に係る映像素材データも一般的な画像編集ソフトウエアなどを用いて編集が行われ、最終的には映像情報と音楽情報とがタイムコード等により同期が取られる。
編集後の映像及び音楽データは編集済ファイル１３に一旦格納される。
【００５６】
更に、経路▲６▼で編集済ファイル１３から映像及び音楽データが読み出され、エンコード処理される。例えば、編集サイト１１におけるオーサリング段階で、編集済みの映像及び音声データをエンコードして、１つのファイルにまとめ、インターネット２０Ｂで配信できる（流せる）ような各種フォーマットに変換される。このエンコード後の映像及び音楽データは、完成パケットファイル（以下完パケファイルともいう）１４に一旦格納される。
【００５７】
また、エンコード後の映像及び音声データは、経路▲７▼で実演家による確認処理に移行される。この例で、実演家であるミュージシャンＭ１は、編集サイト１１にある完パケファイル１４をインターネット経由でアクセスすることができ、エンコード済みのファイルを確認できるようになされている。例えば、ミュージシャンＭ１の自宅などで、エンコード後のライブ映像及び音声データを再生し、視聴チェックを行う。
【００５８】
このとき、ミュージシャンＭ１から編集者に対して配信許可又は不許可が与えられる。この視聴の結果、ミュージシャンＭ１の要望を入れて編集を再加工することもできる。ここで配信ＯＫならば、同時に、インターネット２０Ａ上で著作権の手続きを行う。このとき、情報提供業者４とミュージシャンＭ１との間で報酬の契約を交わすようにしてもよい。
【００５９】
この配信ＯＫを得た編集サイト１１では、経路▲８▼で実演家から配信許可を得た電子情報内容を完パケファイル１４から読み出して配信サーバ１５へ転送する。例えば、情報提供業者４の業務を一部実行するインターネット配信業者の配信サーバ１５へエンコード後のライブ映像及び音声データがゆだねられる。インターネット配信業者１０４における電子情報内容の配信は、ストリーミング形式でも、ダウンロード形式でも対応できるようになされる。
【００６０】
ダウンロード形式の場合は、ファイルにコピープロテクション機能が付加されており、不正コピーができないようになされている。インターネット配信業者１０４から視聴者家庭Ｈｊ（ｊ＝１〜ｍ）には経路▲９▼でインターネット２０Ｂを経由してストリーミング形式のライブ映像及び音声データが配信される。
【００６１】
続いて、本発明に係る実施形態としての情報処理方法について説明をする。図３は電子情報配信システム１０における処理例を示すフローチャートである。
この実施形態では、当該電子情報配信システム１０に加入する、例えば、Ａ国〜Ｊ国の１０か国のライブハウス＃１〜＃１０に各々情報収録送出装置＃Ｌｉを配置すると共に、編集サイト１１となる我が国に情報編集配信装置１を配置する場合を例に挙げる。もちろん、ミュージシャンＭｉによる実演に基づく電子情報内容をユーザＵｊへ配信して処理する場合を前提とする。図２に示した視聴者家庭Ｈｊには情報処理装置＃Ｐｊが予め準備される。
【００６２】
また、情報編集配信装置１においては、各々のライブハウス＃１〜＃１０に配置された情報収録送出装置＃Ｌ１〜＃Ｌ１０によって収録された映像音楽素材データを一元編集及びミュージシャンＭ１〜Ｍ１０の著作権を一元管理すると共に、ミュージシャンＭ１〜Ｍ１０によるライブ映像及び音楽データに関する電子情報内容を全世界又は国内の視聴者家庭に配信する場合を例に採る。
【００６３】
これらを処理条件にして、図３に示すフローチャートのステップＡ１で世界各国のライブハウス＃１〜＃１０の各々に情報収録送出装置＃Ｌｉを配置すると共に、我が国の編集サイト１１には情報編集配信装置１を配置する。例えば、図２に示したＡ国のライブハウス又はスタジオ＃１には、図１に示した情報収録送出装置＃Ｌ１が配置される。Ｂ国のライブハウス又はスタジオ＃２にも、情報収録送出装置＃Ｌ２が配置され、・・・・同様にして、Ｊ国のライブハウス又はスタジオ＃１０には、図１に示した情報収録送出装置＃Ｌ１０が配置される。
【００６４】
各々のライブハウス＃１〜＃１０の情報収録送出装置＃ＬｉにはローカルファイルＦ１〜Ｆ１０が備えられる。ローカルファイルＦ１は情報収録送出装置＃Ｌ１に設けられ、ローカルファイルＦ２は情報収録送出装置＃Ｌ２に設けられ、・・・・ローカルファイルＦ１０は情報収録送出装置＃Ｌ１０に各々設けられる。
Ａ国のローカルファイルＦ１には実演家であるミュージシャンＭ１により実演され収録された映像（ＶＩＤＥＯ）データ及び音声（ＡＵＤＩＯ）データが格納される。
【００６５】
Ｂ国のローカルファイルＦ２には実演家であるミュージシャンＭ２により実演され収録されたライブ映像及び音声データが格納され、・・・Ｊ国のローカルファイルＦ１０には実演家であるミュージシャンＭ１０により実演され収録されたライブ映像及び音声データが各々格納される。なお、図２に示した編集サイト１１には、図１に示した情報編集配信装置１が配置される。この情報編集配信装置１には、図２に示した素材ファイル１２、編集済ファイル１３及び完パケファイル１４が備えられる。
【００６６】
そして、各々のライブハウス＃１〜＃１０に配置された情報収録送出装置＃Ｌ１〜＃Ｌ１０と編集サイト１１に配置された情報編集配信装置１とをステップＡ２でインターネット２０Ａ、２０Ｂ等の通信手段を使用して接続する。また、情報編集配信装置１は、インターネット配信事業者の配信サーバ１５に接続される。これは配信業務を委託するためである。
【００６７】
その後、ステップＡ３に移行して、インターネット２０Ａを通じて情報収録送出装置＃Ｌ１〜＃Ｌ１０の各々を遠隔制御する。この遠隔制御は、ミュージシャンＭｉによるライブ映像及び音楽を自動収録するためである。例えば、図２に示した経路▲１▼で映像及び音声の調整を遠隔制御するための電子情報内容が送信される。このとき、編集サイト１１に居るオペレータが、ライブのリハーサル、または本番中にインターネット経由で映像及び音声の調整を遠隔制御する。
【００６８】
この例では、ライブハウス＃１〜＃１０等におけるライブ音楽・音声等の収録レベル及びその圧縮処理などのマイクロフォン調整や、ライブ映像のパン、チルト、ズーム及び画質などのカメラ調整が、編集サイト１１、すなわち、図１に示した情報編集配信装置１から遠く離れた国のライブハウス＃１等にある情報収録送出装置＃Ｌ１に対してインターネット経由で遠隔制御するようになされる。
【００６９】
また、経路▲２▼でライブ映像及び音声等の遠隔調整制御対象となる電子情報内容が送信される。例えば、ライブハウス＃１等から編集サイト１１にはモニタデータが送出される。このモニタデータは、編集サイト１１で実演音楽・音声等の収録レベル及びその圧縮などのマイクロフォン調整や、実演映像のパン、チルト、ズーム及び画質などのカメラ調整をするために使用される。
【００７０】
編集サイト１１の図示しないモニタ画面には、ライブハウス＃１等から送られてきたモニタデータに基づく、カメラ調整及びマイクロフォン調整画面が表示される。オペレータは、このモニタ画面を視聴しながら、ライブハウスにおける映像及び音声の調整を遠隔制御するようになされる。このようような調整が済むと、ライブ本番となって、Ａ国のライブハウス＃１に配置された情報収録送出装置＃Ｌ１では、ミュージシャンＭ１による実演を収録して映像音楽素材データを送出するようになされる。
【００７１】
また、ステップＡ４で我が国の編集サイト１１では各々のライブハウス＃１〜＃１０の情報収録送出装置＃Ｌ１〜＃Ｌ１０等から送出されてくる映像音楽素材データを入力して情報編集処理をするようになされる。例えば、図２に示した経路▲４▼で各ライブハウス＃１等から送出された映像音楽素材データを編集サイト１１の情報編集配信装置１で受信する。このとき、編集サイト１１ではインターネット２０Ａに接続されている複数のライブハウス＃１〜＃１０等の情報収録送出装置＃Ｌｉのローカルファイルから、インターネット経由で、収録された映像音楽素材データを素材ファイル１２に受信する（吸い上げる）。
【００７２】
更に図２に示した経路▲５▼で編集サイト１１では、素材ファイル１２から読み出した映像音声素材データを加工して、ユーザＵｊへ配信されるオプション形態によって決まるチャンネル数やカメラアングル数になるように映像音声素材データを編集するようになされる。また、音声編集では、音質の調整も行われる他、通常のマルチトラックソースのミックスダウン作業が行われる。例えば、実演音楽に係る音楽素材データは、ステレオ方式や５．１サラウンド方式にミックスダウンされる。更に、実演映像に係る映像素材データも一般的な画像編集ソフトウエアなどを用いて編集が行われ、最終的には映像情報と音楽情報とがタイムコード等により同期が取られる。編集後の映像及び音楽データは編集済ファイル１３に一旦格納される。
【００７３】
また、図２に示した経路▲６▼で編集サイト１１におけるオーサリング段階で、編集済ファイル１３から編集済みの映像及び音声データを読み出してエンコードし、１つのファイルにまとめ、インターネット２０Ｂで配信できるような各種フォーマットに変換される。このエンコード後の映像及び音声データは、完パケファイル１４に一旦格納される。
【００７４】
ステップＡ５で情報提供業者４はミュージシャンＭｉに編集内容の確認を取るようになされる。このとき、情報編集配信装置１からミュージシャンＭｉの所持する情報処理装置に対して、インターネット２０Ａを利用して、情報編集処理された電子情報内容が配信され、この電子情報内容に関してミュージシャンＭｉの承諾を取得するようなされる。
【００７５】
例えば、図２に示したエンコード後の映像及び音声データは、経路▲７▼でミュージシャンＭ１による確認処理に移行される。そして、ミュージシャンＭ１は、編集サイト１１にある完パケファイル１４をインターネット経由でアクセスすることができ、エンコード済みのファイルを確認するようになされる。例えば、ミュージシャンＭ１の自宅などで、エンコード済みのライブ映像及び音声データを再生装置でデコードし、デコード後のライブ映像及び音声データを再生し、ミュージシャンＭ１は視聴チェックを行う。このとき、ミュージシャンＭ１から編集者に対して、視聴の結果、配信ＯＫならば、同時に、インターネット２０Ａ上で著作権の手続きが行われる。このとき、情報提供業者４とミュージシャンＭ１との間で報酬の契約を交わすようになされる。
【００７６】
この配信ＯＫを得た編集サイト１１では、経路▲８▼でミュージシャンＭ１から配信許可を得たライブ映像及び音楽データを完パケファイル１４から読み出して、情報提供業者４の業務を一部実行するインターネット配信業者の配信サーバ１５へこのライブ映像及び音楽データが転送される。インターネット配信業者においては、ライブ映像及び音楽データの配信に関して、ストリーミング形式でも、ダウンロード形式でも対応できるようになされる。
【００７７】
このとき、インターネット配信業者１０４では、電子情報内容に複製禁止処理が施される。例えば、完パケファイル１４に基づくライブ映像及び音声データは、インターネット配信業者の配信サーバ１５から視聴者家庭Ｈｊの情報処理装置＃Ｐｊへ、複製困難なデータストリーミング形式により配信される。不正な複製を防止するためである。
【００７８】
そして、ステップＡ６に移行して、当該情報編集処理後のライブ映像及び音楽であって、ミュージシャンＭ１の確認後のライブ映像及び音楽データをユーザＵｊへ配信する。このとき、インターネット配信業者１０４から視聴者家庭Ｈｊ（ｊ＝１〜ｍ）には図２に示した経路▲９▼でインターネット２０Ｂを経由してストリーミング形式のライブ映像及び音声データが配信される。
【００７９】
また、インターネット配信業者１０４では、一のライブハウス＃１に係る複数のライブ映像及び音楽データに関する電子情報内容を多重処理して、視聴者家庭Ｈｊの情報処理装置＃Ｐｊへ配信するようになされる。ユーザＵｊ側では一のライブハウス＃ｉに係る電子情報内容を任意に選択可能なようになされる。これと共に、ユーザＵｊに対して課金処理が施される。
【００８０】
なお、ステップＡ７で情報処理を終了するかを否かを判断する。この際の判断は、ライブハウスオーナ及び情報提供業者４等のシステム業務提携関係者である。ライブ映像及び音楽情報配信処理を終了しない場合は、例えば、ステップＡ３に戻ってインターネット２０Ａを通じてＡ国〜Ｊ国の情報収録送出装置＃Ｌ１〜＃Ｌ１０の各々を遠隔制御する処理を継続する。もちろん、ステップＡ１に戻って、世界各国の他のライブハウスに情報収録送出装置＃Ｌｉを配置するような業務を遂行するようにしてもよい。ライブ映像及び音楽情報配信処理を終了する場合は、システム業務提携関係者の協議の下に終了する。
【００８１】
このように、本発明に係る実施形態としての電子情報配信システム１０及び情報処理方法によれば、ミュージシャンＭｉによる実演に基づくライブ映像及び音声データを配信する場合に、情報編集配信装置１ではミュージシャンＭｉによるライブ映像及び音楽を自動収録するようにインターネット２０Ａを通じて情報収録送出装置＃Ｌ１〜＃Ｌ１０等の各々を遠隔制御するようになされる。
【００８２】
従って、ライブハウス＃１〜＃１０におけるライブ映像を撮影するカメラの操作、ライブ音楽を収録するマイクロフォンの操作及び、これらの撮影・収録レベルの調整等を人手を介さずに編集サイト１１において設定できるので、ライブハウス＃１〜＃１０での収録オペレータの無人化を図ることができる。これにより、世界各地に存在するライブハウス＃１〜＃１０等で実演され、この実演によって収録される映像音楽素材データを一元編集及びミュージシャンＭｉの著作権を一元管理することができ、そのミュージシャンＭｉによるライブ映像及び音楽に関する電子情報内容を全世界に配信する電子情報配信システム１０を構築することができる。
【００８３】
（２）実施例
図４は本発明に係る実施例として映像付き高音質音楽ライブ配信システム１００の構成例を示す図である。
この実施例では、電子情報配信システムの一例となる映像付き高音質音楽ライブ配信システム１００を構築し、任意の国に存在するライブハウス＃１等で実演され、この実演によって収録される映像音楽素材データをコンテンツ配信サイト１０２で自動編集及びアーティストコミュニティ１０１のアーティスト（ミュージシャン）Ｍｉ等の著作権を一元管理できるようにしたものである。
【００８４】
図４に示す映像付き高音質音楽ライブ配信システム１００は、アーティストＭｉ（ｉ＝１〜ｎ）によるライブ演奏に基づくライブ映像及び音楽データＤｏｕｔを配信するシステムである。このシステム１００は、従来方式の配信システムと異なり、基本的に音楽性（芸術性）の高いソフトウエアを配信するところにある。ユーザコミュニティ１０３には、ＮＴＳＣ方式のテレビを含むインターネットＴＶや、ホームサーバ、ＡＶアンプ、パーソナルコンピュータ等の情報処理装置が準備され、コンテンツ配信サイト１０２で予め編集され準備されたライブ映像及び音楽データＤｏｕｔを選択して再生可能なようになされる。
【００８５】
このシステム１００では、ライブハウス＃１等の情報収録送出装置＃Ｌ１に対して、直接操作できない（又はさせない）ことが前提となる。このことで、従来方式の配信システムのように、ユーザＵｊがカメラ等を遠隔操作して好みの映像を鑑賞する方法とは異なる。
【００８６】
この例で、高音質音楽ライブ配信を行うために、ライブハウス＃ｉで収録するマルチチャンネルのライブ映像及び音声データについて、配信元である情報提供業者４は、次のような対応が採られる。
【００８７】
▲１▼  ライブ音声収録に関して、例えば、１６本のマイクロフォン＃Ｍ１〜＃Ｍ１６をライブハウス＃ｉ内に配置する。この１６チャンネル（以下ＣＨと記す）のマイク入力のバラバラな音声データに対して、ノイズ除去、音量合わせ、効果音の付加等の編集及び加工を施す。この１６ＣＨの音声データを、ユーザＵｊの視聴スタイルに合わせて２ＣＨや、４ＣＨ、８ＣＨ等に編集して配信する。
【００８８】
▲２▼  ライブ映像収録に関して、例えば、４台のカメラ＃Ｃ１〜＃Ｃ４をライブハウス＃ｉ内に配置する。この４台のカメラ＃Ｃ１〜＃Ｃ４のうち、１台は演奏者のソロパートになったとき、楽器の扱い方（弾き方）等をズーム撮影するようになされる。この例では、ある程度音楽に精通する者（例えば専門のミキサー）の指示に基づいてコンテンツ配信サイト１０２からライブハウス＃１の情報収録送出装置＃Ｌ１を遠隔制御するようになされる。これにより、良質なソフトウエアを自動編集制作することができるようになる。
【００８９】
このシステム１００で、ライブハウス＃１には情報収録送出装置＃Ｌ１が準備され、アーティストＭｉによるライブを収録して得た映像音楽素材データＤｉｎを出力するようになされる。この例では、ライブハウス＃１におけるオペレータの無人化を想定している。このライブハウス＃１の情報収録送出装置＃Ｌ１はオンサイト無人コントローラを構成し、インターネット２０Ａ等のブロードバンド回線に接続されている。情報収録送出装置＃Ｌ１はマイクロフォン及びカメラを遠隔制御するように動作する。
【００９０】
このライブハウス＃１内には遠隔制御可能な４台のカメラ＃Ｃ１〜＃Ｃ４が配置される。カメラ＃Ｃ１〜＃Ｃ４はアーティストＭｉの映像を撮影する位置に配置される。再生時に、ユーザＵｊの好みの角度からの映像を選択して再生できるようにするためである。これらのカメラ＃Ｃ１〜＃Ｃ４により種々の角度から撮影したライブ映像に係る４ＣＨ分のライブ映像データが取得される。
【００９１】
また、ライブハウス内には遠隔制御可能な１６台のマイクロフォン＃Ｍ１〜＃Ｍ１６が配置される。マイクロフォン＃Ｍ１〜＃Ｍ１６の各々は音源の近くに配置される。再生時に、ユーザＵｊの好みの音源を選択して再生できるようにするためである。これらのマイクロフォン＃Ｍ１〜＃Ｍ１６により種々の音源から収録したそのライブ音楽に係る１６ＣＨ分の音声・音楽データが収録される。
【００９２】
これらのカメラ＃Ｃ１〜＃Ｃ４により撮影されたライブ映像及びマイクロフォン＃Ｍ１〜＃Ｍ１６により収録されたライブ音楽は、ストリーミング形式の映像音楽素材データＤｉｎに変換して、アーカイブ用の大容量サーバ、例えば、図２に示したローカルファイルＦ１に一旦、取り込まれる。その後、映像音楽素材データＤｉｎは編集地のコンデンサ配信サイト１０２に送出するようになされる。
【００９３】
情報提供業者４である配信元はコンテンツ配信サイト１０２を構成する。このコンテンツ配信サイト１０２には情報編集配信装置１を構成する配信サーバ１５、アーティスト管理サーバ１６、自動編集加工部１７及びコンテンツサーバ１８が備えられる。このコンテンツ配信サイト１０２は情報提供業者４のビジネス地である我が国に配置することを想定している。
【００９４】
上述したライブハウス＃１の情報収録送出装置＃Ｌ１とコンテンツ配信サイト１０２の自動編集加工部１７とはインターネット２０Ａを通じて接続される。情報提供業者４である配信元では、ライブハウス＃１に設置された４台のカメラ＃Ｃ１〜＃Ｃ４及び、１６本のマイクロフォン＃Ｍ１〜＃Ｍ１６をアーティストＭｉの要望により遠隔操作して収録が行われる。このシステム１００では、ライブハウス＃１におけるライブ映像等の収録時に、アーティスト側から配信元へ希望の映像アングルや音声編集等の要望を受け付けるようになされる。
【００９５】
また、コンテンツ配信サイト１０２では、情報収録送出装置＃Ｌ１から自動編集加工部１７に映像音楽素材データＤｉｎが入力される。自動編集加工部１７では、ローカルファイルＦ１から読み出された映像音楽素材データＤｉｎを情報編集処理する。もちろん、パソコン（ＰＣ）等を利用してオぺレータにより、アーティストＭｉ及びユーザＵｊを満足するような配信ソフトを編集・制作するようにしてもよい。
【００９６】
自動編集加工部１７にはコンテンツサーバ１８が接続され、編集処理後のライブ映像及び音楽データ（映像及び音楽ソフト）Ｄｏｕｔが格納される。このシステム１００では、情報編集処理されたライブ映像及び音楽データＤｏｕｔに関して、アーティストＭｉの承諾が取得され、このアーティスト側の承認を以てユーザＵｊへの配信がＯＫとなる。アーティストＭｉの承諾を得た後のライブ映像及び音楽データＤｏｕｔをユーザＵｊへ配信するようになされる。
【００９７】
このコンテンツ配信サイト１０２にはアーティスト管理サーバ１６が設けられ、アーティストＭｉの確認や、利用条件設定電子契約等を管理するようになされる。アーティスト管理サーバ１６で管理されるアーティスト情報は、必要に応じてユーザＵｊへ配信するようになされる。
【００９８】
また、コンテンツサーバ１８には配信サーバ１５が接続され、アーティストＭｉから配信許可が出されたライブ映像及び音楽データＤｏｕｔが格納される。配信サーバ１５はインターネット２０Ｂを通してユーザＵｊコミュニティ１０３の情報処理装置に接続され、配信許可後のライブ映像及び音楽データＤｏｕｔを配信するようになされる。
【００９９】
この配信サーバ１５では、ライブ映像及び音楽データＤｏｕｔの不正な複製を防止するために、これらのライブ映像及び音楽データＤｏｕｔに複製禁止処理を施すようになされる。例えば、ライブ映像及び音楽データＤｏｕｔは複製困難なスクランブル処理が施され、スクランブル処理後のデータをストリーミング形式により配信サーバ１５からユーザＵｊの情報処理装置へ配信するようになされる。
【０１００】
また、配信サーバ１５では、一のライブハウス＃１で収録された複数のライブ映像及び音楽データＤｏｕｔを多重処理して配信するようになされる。このライブ映像及び音楽データＤｏｕｔを多重配信するようにしたのは、視聴者家庭でこれらのライブ映像及び音楽データＤｏｕｔを再生するときに、そのライブ映像及び音楽データＤｏｕｔを好みに応じ選択できるようにしたためである。例えば、好みの角度のライブ映像を選択して再生したり、好みの音源を選択してライブ音楽を再生できるようになる。このようにすると、ユーザＵｊは、ライブハウス＃１の臨場感を家に居ながらにして楽しむことができる。
【０１０１】
図５は映像付き高音質音楽ライブ配信システム１００におけるコンテンツ及び金銭等の流通例を示す図である。
図５に示すビジネスＡでは業務用の映像音声編集機器（プロＡＶ機器）２０１等を使用して当該高音質音楽ライブ配信システム１００を稼働するためのシステムソフトウエアを作成する。このシステムソフトウエアを図５に示す実線の経路（１）で情報提供業者４へ納入し、ビジネスＡは情報提供業者４から点線で示す経路（１２）で代金を徴収する。
【０１０２】
この情報提供業者４には、アーティスト用のＷＥＢ５、ユーザＵｊ用のＷＥＢ６、サーバ１５’、自動編集加工部１７及び、システムメンテナンス部（以下システムメンテ部という）１９が備えられる。上述のシステムソフトウエアはシステムメンテ部１９で管理される。この例で情報提供業者４は経路（２）でライブハウス＃１へ情報収録送出装置＃Ｌｉやその他付属システムを販売する。もちろん、これに限られることはなく、当該情報収録送出装置＃Ｌｉ等を貸与により提供するようにしてもよい。このとき、機器セット及び、無人化可能となるまで収録人員を派遣するようになされる。
【０１０３】
ライブハウス＃１ではアーティストＭｉによってライブを催す毎に、実演家の権利である「著作権」が発生する。このライブハウス＃１で開催されたアーティストＭｉによるライブ映像及び音楽に係る映像音楽素材データＤｉｎは収録コンテンツとなって、経路（３）で情報収録送出装置＃Ｌ１から情報提供業者４のサーバ１５’へ転送される。情報提供業者４では経路（４）で収録コンテンツがサーバ１５’から自動編集加工部１７へ転送される。
【０１０４】
自動編集加工部１７では、収録コンテンツが情報編集及び加工される。この情報編集及び加工後の収録コンテンツは完パケコンテンツとなって、経路（５）でサーバ１５’へ転送される。完パケコンテンツは経路（１５）、ＷＥＢ５及び経路（１６）を通じてアーティストＭｉによって確認される。この確認後のアーティスト情報は、経路（１６）、ＷＥＢ５及び経路（１５）を通じて情報提供業者４へ返信される。完パケコンテンツが配信可能な状態になされる。
【０１０５】
一方、図５に示すビジネスＢでは電子機器製造事業者からユーザＵｊへ、経路（７）でパソコンやインターネットテレビ等の専用機器（ＰＣ／ＣＥ  ｄｅｖｉｃｅ）を販売する。また、ソフトウエア事業者は専用の情報処理ソフトウエアをユーザＵｊへ販売する。ユーザＵｊは経路（８）でビジネスＢに対して代金を支払う。これらの専用機器やソフトウエアは貸与により提供する形式を採ってもよい。
【０１０６】
この映像付き高音質音楽ライブ配信システム１００における課金処理については、まず、情報提供業者４のユーザＵｊ用のＷＥＢ６から、経路（９）のインターネット２０Ｂを通じて完パケコンテンツが配信される。ユーザＵｊの利益としては、無名の自分の好みに合ったアーティストＭｉを探し出すことができる。ライブ映像・音楽配信ソフトには編集及び加工がなされているので、最適な環境で簡便にライブ映像等を楽しむことができる。
【０１０７】
このサービスに対して、各ユーザＵｊはライブ映像及び音楽データＤｏｕｔを利用するためのサービス料金を情報提供業者４へ支払う。例えば、ユーザＵｊは経路（１０）でＩＳＰ（インターネットサービス接続）事業者１０４に対してサービス料を支払う。このサービス料には完パケコンテンツの利用料が含まれている。ＩＳＰ事業者１０４は、回線接続料を差し引いたコンテンツ提供料を経路（１１）で情報提供業者４へ支払うようになされる。この配信元としての利益については、アーティストＭｉやユーザＵｊの負担により、最高の編集機材、大容量のサーバおよび優秀なオペレータ、ミキサー等を揃えることができる。また、配信元が世界中のアーティストＭｉを発掘できるようになる。
【０１０８】
情報提供業者４では、ユーザＵｊから収入したコンテンツ提供料をアーティストＭｉ及びライブハウス所有者との間で利益分配するようになされる。例えば、アーティストＭｉに対しては出演料を支払い、ライブハウス所有者には借室料等を支払う。つまり、コンテンツ提供料からシステムソフトウエアの代金を除いた余剰金を、経路（１３）でライブハウス＃１のオーナーに利益配分するようになされる。ライブハウス＃１のオーナーは、アーティストＭｉに対して借室料等を引いた残金を利益配分するようになされる。
【０１０９】
この際のアーティストＭｉの利益としては、各々のライブハウス＃１に、カメラ＃Ｃ１〜＃Ｃ４、マイクロフォン＃Ｍ１〜＃Ｍ１６等の収録端末機器だけを揃えておけば、アーティストＭｉは各地を移動することがなく、自分のホームグランドで演奏できるようになる。従って、時間的及び、空間的な制約がなく、編集設備に対するコスト負担が軽くなる。また、アーティストＭｉは複数の配信元（情報提供業者４）のうちから気に入ったコンテンツ配信サイト１０２等を選択可能できるようになる。このシステム１００で配信元と会話をしながら、ライブ映像・音声データ編集に自分の意見を提言できるようになる。
【０１１０】
［情報収録送出装置］
図６は本発明に係る実施例としての情報収録送出装置＃Ｌ１の内部構成例を示すブロック図である。
図６に示す情報収録送出装置＃Ｌ１は、映像付き高音質音楽ライブ配信システム１００を構成するものであり、アーティストＭｉによるライブ演奏に基づくライブ映像及び音楽データＤｏｕｔを収録出力処理する装置である。情報収録送出装置＃Ｌ１は情報編集配信装置１に接続して使用される。
【０１１１】
この情報収録送出装置＃Ｌ１は収録装置本体２１、駆動制御部２２、通信モデム（ルータ）２３及びＬＡＮ（Ｌｏｃａｌ  Ａｒｅａ  Ｎｅｔｗｏｒｋ）２４等から構成される。収録装置本体２１内には、モニタ混合器（ＭＩＸ）２１３、コントロールポート２１４、中央演算装置（以下ＣＰＵという）２１５、ハードディスク（以下ＨＤＤという）２１６、データストリーマ２１７、ＬＡＮコントローラ（ＬＡＮＣ）２１８、モニタスイッチ（ＳＷ）２２０、１６個の音声処理部２１１、２個のバスブリッジ２１２，２１９及び４個の映像処理部２２１を有している。
【０１１２】
この例で１６本のマイクロフォン＃Ｍ１〜＃Ｍ１６は収録装置本体２１に接続される。例えば、マイクロフォン＃Ｍ１は遠隔制御可能な収音手段の一例であり、＃Ｍ１用の音声処理部２１１に接続される。マイクロフォン＃Ｍ１はアーティストＭｉによるライブ音楽を収録するようになされる。音声処理部２１１はアンプ３１、リミッタ／コンプレッサ（Ｌ／Ｃ）３２、アナログ・デジタル変換器（ＡＤＣ；以下Ａ／Ｄ変換器という）３３及びボリューム３４から構成される。
【０１１３】
例えば、マイクロフォン＃Ｍ１等で収録した音声は、アンプ３１に入力される。この例では、コンテンツ配信サイト（編集室）１０２からの指令により、インターネット２０Ａ→コントロールポート経由でアンプのゲイン情報、リミッタコンプレッサ３２のパラメータが受信されそれぞれ反映される。
【０１１４】
また、コンテンツ配信サイト１０２における音声モニタのために、ＭＩＸ信号を作成し、リアルタイムにコンテンツ配信サイト１０２に送信する。どのチャンネルをモニタとして混合するかといった情報はコンテンツ配信サイト１０２のオペレータが指令を出し、これに基づいて混合を行なう。
【０１１５】
アンプ３１にはマイクロフォン＃Ｍ１が接続され、収録されたライブ音楽信号を増幅出力するようになされる。アンプ３１の利得はボリューム３４によって調整され、ライブ音楽信号出力を可変するようになされる。アンプ３１にはリミッタ／コンプレッサ３２が接続され、ライブ音楽信号出力を制限すると共に圧縮するようになされる。
【０１１６】
上述のリミッタ／コンプレッサ３２及びボリューム３４にはコントロールポート２１４が接続され、ボリューム３４の移動量を制御してアンプ３１のゲイン（Ｇａｉｎ）を調整するようになされる。また、コントロールポート２１４はリミッタ／コンプレッサ３２にパラメータを設定してライブ音楽信号出力を制限すると共に圧縮するようになされる。
【０１１７】
リミッタ／コンプレッサ３２にはＡ／Ｄ変換器３３が接続され、制限及び圧縮後のライブ音楽信号をアナログ・デジタル変換するようになされる。これにより、マイクロフォン＃Ｍ１により収録されるデジタルのライブ音楽データを出力することができる。他のマイクロフォン＃Ｍ２〜＃Ｍ１６についても、同様な音声処理部２１１が準備され、各々のマイクロフォン＃Ｍ２〜＃Ｍ１６により収録されるデジタルのライブ音楽データを得ることができる。
【０１１８】
上述の１６個の音声処理部２１１にはバスブリッジ２１２及びモニタＭＩＸ２１３が接続される。モニタＭＩＸ２１３では、バスブリッジ２１２において、１６ＣＨのライブ音楽データを２，４，８ＣＨ等に混合するようになされる。例えば、モニタＭＩＸ２１３には上述したコントロールポート２１４から混合制御信号が出力され、この混合制御信号に基づいて１６ＣＨのライブ音楽データを混合するようになされる。
【０１１９】
一方、４個のカメラ＃Ｃ１〜＃Ｃ４は収録装置本体２１に接続される。例えば、カメラ＃Ｃ１は遠隔制御可能な撮影手段の一例であり、＃Ｃ１用の映像処理部２２１に接続される。カメラ＃Ｃ１はアーティストＭｉによるライブ映像を収録するようになされる。映像処理部２２１はＡ／Ｄ変換器３５、フレーム同期回路３６及び圧縮回路３７から構成される。
【０１２０】
Ａ／Ｄ変換器３５にはカメラ＃Ｃ１が接続され、撮影されたライブ映像信号（Ｖｉｄｅｏ）をアナログ／デジタル変換するようになされる。Ａ／Ｄ変換器３５にはフレーム同期回路３６が接続され、ライブ映像信号のフレーム同期処理をするようになされる。フレーム同期回路３６には圧縮回路３７が接続され、フレーム同期処理後のライブ映像信号が圧縮される。圧縮後のライブ映像信号はライブ映像データとなる。これにより、カメラ＃Ｃ１により撮影されたデジタルのライブ映像データを出力することができる。他のカメラ＃Ｃ２〜＃Ｃ４についても、同様な映像処理部２２１が準備され、各々のカメラ＃Ｃ２〜＃Ｃ４により撮影されたデジタルのライブ映像データを得ることができる。
【０１２１】
上述の４個の映像処理部２２１にはバスブリッジ２１９及びモニタスイッチ２２０が接続される。モニタスイッチ２２０では、バスブリッジ２１９において、４ＣＨのライブ映像データを切換えるようになされる。このバスブリッジ２１９には内部バス２２２が接続されている。内部バス２２２には、ＣＰＵ２１５、ＨＤＤ２１６、データストリーマ２１７、ＬＡＮコントローラ２１８、Ｉ／Ｏポート２２３及び上述のコントロールポート２１４等が接続される。
【０１２２】
ＨＤＤ２１６はローカルファイルＦ１等を構成するものであり、ＨＤＤ２１６にはバスブリッジ２１９を通じて転送されるライブ映像データが格納される。音声データは圧縮されずに全チャンネルがＨＤＤ２１６に記録されるが何らかのフォーマットで圧縮してもよい。音声及び映像データには、タイムコードが付随しており、コンテンツ配信サイト１０２における編集時に画像と音声の同期が取られる。
【０１２３】
データストリーマ２１７ではライブ映像データ及びライブ音声データがストリーミング形式の映像音楽素材データＤｉｎに変換される。ＬＡＮコントローラ２１８はＬＡＮ２４に接続される。ＬＡＮコントローラ２１８ではＬＡＮ２４から遠隔制御情報Ｄ１を取り込んだり、映像音楽素材データＤｉｎをＬＡＮ２４へ送出するようになされる。
【０１２４】
ＬＡＮ２４は通信モデム２３に接続される。通信モデム２３はインターネット２０Ａ等に接続され、コンテンツ配信サイト１０２からの遠隔制御情報Ｄ１を受信したり、モニタ映像データをリアルタイムにコンテンツ配信サイト１０２に送信したり、データストリーマ２１７によって変換されたストリーミング形式の映像音楽素材データＤｉｎをコンテンツ配信サイト１０２へ送信するようになされる。モニタ映像データはコンテンツ配信サイト１０２で映像をモニタするためのものである。
【０１２５】
また、上述のＩ／Ｏポート２２３には駆動制御部２２が接続される。駆動制御部２２及び上述のＣＰＵ２１５は、情報出力制御手段を構成するものである。ＣＰＵ２１５は４台のカメラ＃Ｃ１〜＃Ｃ４により撮影されたライブ映像データ及び１６本のマイクロフォン＃Ｍ１〜＃Ｍ１６により収録されたライブ音楽データを映像音楽素材データＤｉｎに変換し、インターネット２０Ａ等を通じてコンテンツ配信サイト１０２へ出力するように、ＨＤＤ２１６やデータストリーマ２１７等を制御するものである。
【０１２６】
駆動制御部２２ではＣＰＵ２１５の制御を受けて、図１に示した情報編集配信装置１から、図６に示す通信モデム２３及びＬＡＮコントローラ２１８を経由して遠隔制御情報Ｄ１を受信する。そして、駆動制御部２２は、例えば、コンテンツ配信サイト１０２からの指令を受けて、カメラＬＡＮ経由で４台のカメラ＃Ｃ１〜Ｃ４のパン、チィルト、ズーム処理等の遠隔制御を行い、アーティストＭｉによるライブ映像及び音楽を自動収録するようになされる。この駆動制御部２２ではカメラ＃Ｃ１〜＃Ｃ４の他に１６本のマイクロフォン＃Ｍ１〜＃Ｍ１６を遠隔制御するようになされる。
【０１２７】
図７及び図８はライブ映像及び音楽情報の収録機器等の配置例（前面、上面）をそれぞれ示す立体図及び平面図である。この実施例では、ライブハウス＃１における映像・音声の収録する場合であって、４台のカメラ＃Ｃ１〜＃Ｃ４、１６本のマイクロフォン＃Ｍ１〜＃Ｍ１６を使用する場合を例に挙げる。
【０１２８】
図７に示すライブハウス＃１のステージ１０５を立体視した場合に、そのステージ１０５上の天井部分にはレール１０６が設けられている。このレール１０６には、移動可能な１台のズーム・パンチルター付きカメラ＃Ｃ１が取付けられる。カメラ＃Ｃ１は、例えば、レール１６に規制されて左右に移動でき、ボーカルやソロ演奏するアーティストを撮影するようになされる。
【０１２９】
また、ステージ１０５に向かって左側の壁上方にはカメラ＃Ｃ２が備えられ、また、その右側の壁上方にはカメラ＃Ｃ３が備えられる。いずれのカメラ＃Ｃ２，＃Ｃ３も、ズーム・パンチルター付きであり、例えば、客席よりやや高い位置の左右の壁に固定される。カメラ＃Ｃ２，＃Ｃ３は、ライブ演奏するアーティストの様子を左右から色々と撮影することが可能となされる。
【０１３０】
カメラ＃Ｃ４は例えば、ステージ１０５上を移動走行可能な無線遠隔ロボット機能を有したものが使用される。カメラ＃Ｃ４は演奏者のソロパートになったとき、楽器の扱い方（弾き方）等をズーム撮影するようになされる。もちろん、他のカメラ＃Ｃ１〜＃Ｃ３によってカメラ＃Ｃ４が撮影されない位置を移動するようになされる。このように配置された移動用のカメラ及び固定カメラの計４台のカメラ操作は、インターネット２０Ａを通して配信元の情報編集配信装置１で行なわれる。従って、ライブハウス＃１でのオペレータが不要となる。
【０１３１】
更に、１６本のマイクロフォン＃Ｍ１〜＃Ｍ１６がライブハウス＃１の天井部やステージ１０５等に配置される。例えば、ステージ１０５上には、ピアノの音収録用に１本のマイクロフォン＃Ｍ１が配置され、キーボードの音収録用に１本のマイクロフォン＃Ｍ２が配置され、ベースアンプの音収録用に１本のマイクロフォン＃Ｍ３が配置され、ドラムスの音収録用に４本のマイクロフォン＃Ｍ４〜＃Ｍ７（キック；＃Ｍ４，スネアー・ハイハット；＃Ｍ５，シンバル（トップ・クラッシュ）；＃Ｍ６，フロアータム；＃Ｍ７）が配置され、ギターアンプの音収録用に１本のマイクロフォン＃Ｍ８が配置され、管楽器の音収録用に１本のマイクロフォン＃Ｍ９が配置される。
【０１３２】
また、天井中央部には、４本のマイクロフォン＃Ｍ９〜＃Ｍ１２が配置される。＃Ｍ９，＃Ｍ１０の２本は前方収録用であり、＃Ｍ１１，＃Ｍ１２の２本は、後方エコー成分収録用に割り当てられる。＃Ｍ１１，＃Ｍ１２の２本は図８に示す客席側の歓声等も収録可能となる。更に、天井部左右には、スポット用の１本のマイクロフォン＃Ｍ１３が配置され、ボーカル用に１本のマイクロフォン＃Ｍ１４が配置される。また、左側壁のカメラ＃Ｃ２付近には、天井左端収録用の１本のマイクロフォン＃Ｍ１５が配置され、右側壁のカメラ＃Ｃ３付近には、天井右端収録用の１本のマイクロフォン＃Ｍ１６が配置される。
【０１３３】
このような計１６本のマイクロフォン＃Ｍ１〜＃Ｍ１６は、特に、各楽器近くに配置されたマイクロフォン＃Ｍ１〜＃Ｍ６は、固定乃至移動可能なタイプのものが使用される。天井左右端の２本のマイクロフォン＃Ｍ１５、＃Ｍ１６には、指向性マイクが使用され、これをパンチルターに取り付け、収音方向にマイク先を向けたり、ズーム機能を動作させるようになされる。
【０１３４】
天井中央部の４本のマイクロフォン＃Ｍ９〜＃Ｍ１２もできれば、パンチルターに取り付け、方向変更ができれば好ましい。この例では、カメラ＃Ｃ１に４本のマイクロフォン＃Ｍ９〜＃Ｍ１２を取付ければ、天井部の左右方向に設けたレール１０６でカメラ＃Ｃ１と共に移動され、収録の幅が広がるようになる。このように配置された計１６本のマイクロフォン＃Ｍ１〜＃Ｍ１６の操作は、インターネット２０Ａを通して配信元の情報編集配信装置１で行なわれる。従って、ライブハウス＃１でのオペレータが不要となる。
【０１３５】
続いて、ライブハウス＃１における情報収録送出装置＃Ｌ１の処理例について説明をする。
この実施例で情報収録送出装置＃Ｌ１がライブ映像及び音楽データＤｏｕｔを配信するシステム１００の情報編集配信装置１に接続されることを前提とする。この例で、４台のカメラ＃Ｃ１〜＃Ｃ４及び１６本のマイクロフォン＃Ｍ１〜＃Ｍ１６は、図７及び図８に説明した通りに配置される。この例では、情報収録送出装置＃Ｌ１における調整時及び、ライブ映像及び音声データ収録時の２つに分けて説明をする。
【０１３６】
図９は情報収録送出装置の自動調整例を示すフローチャートである。図１０Ａ及び図１０Ｂは情報収録送出装置に＃Ｌｉによる自動収録例を示すフローチャートである。この例では、リハーサル映像を撮影し、及び、リハーサル音声を収録して情報収録送出装置を調整し、その後、本番収録とするようになされる。
【０１３７】
これを前提にして、例えば、図９に示すフローチャートのステップＢ１で駆動制御部２２では、コンテンツ配信サイトの情報編集配信装置１から遠隔制御情報Ｄ１を受信し、ステップＢ２で４台のカメラ＃Ｃ１〜＃Ｃ４及び１６本のマイクロフォン＃Ｍ１〜＃Ｍ１６を遠隔制御する。このとき、４台のカメラ＃Ｃ１〜＃Ｃ４は、駆動制御部２２による遠隔制御によって、リハーサルに係る映像を遠隔撮影するようになされる。リハーサル映像は、例えば、転送レート約２５ＭｂｐｓのＤＶフォーマットで撮影される。
【０１３８】
また、カメラ＃Ｃ１で撮影されたリハーサル映像は、例えば、図１０Ｂに示すフローチャートのステップＥ１で映像処理部２２１のＡ／Ｄ変換器３５に出力される。Ａ／Ｄ変換器３５では、カメラ＃Ｃ１により撮影されたリハーサル映像信号（Ｖｉｄｅｏ）をアナログ／デジタル変換するようになされる。Ａ／Ｄ変換後のリハーサル映像信号はＡ／Ｄ変換器３５からフレーム同期回路３６へ出力される。フレーム同期回路３６ではステップＥ２でリハーサル映像信号のフレーム同期処理をするようになされる。フレーム同期処理後のリハーサル映像信号は、フレーム同期回路３６から圧縮回路３７へ出力される。圧縮回路３７では、ステップＥ３でフレーム同期処理後のリハーサル映像信号が圧縮される。圧縮後のリハーサル映像信号はリハーサル映像データとなる。
【０１３９】
これにより、カメラ＃Ｃ１により撮影されたデジタルのリハーサル映像データを出力することができる。他のカメラ＃Ｃ２〜＃Ｃ４についても、同様な映像処理部２２１が準備され、各々のカメラ＃Ｃ２〜＃Ｃ４により撮影されたデジタルのリハーサル映像データを得ることができる。リハーサル映像データはステップＥ４でバスブリッジ２１９を通じてローカルファイルＦ１を構成するＨＤＤ２１６に格納される。これにより、リハーサル映像を自動収録することができる。
【０１４０】
また、１６本のマイクロフォン＃Ｍ１〜＃Ｍ１６では、図１０Ａに示したフローチャートのステップＢ２で駆動制御部２２による遠隔制御によって、アーティストＭｉによるリハーサル音楽を遠隔収録するようになされる。このとき、コンテンツ配信サイト（編集室）１０２からの指令により、インターネット２０Ａ→コントロールポート経由でアンプのゲイン情報、リミッタコンプレッサ３２のパラメータが受信されそれぞれ反映される。例えば、リハーサル音楽は２４ｂｉｔ、９６ｋＨｚにより１６ＣＨで録音される。
【０１４１】
更に、コンテンツ配信サイト１０２における音声モニタのために、ＭＩＸ信号を作成し、リアルタイムにコンテンツ配信サイト１０２に送信する。どのチャンネルをモニタとして混合するかといった情報はコンテンツ配信サイト１０２のオペレータが指令を出し、これに基づいて混合を行なう。
【０１４２】
例えば、マイクロフォン＃Ｍ１で収録されたリハーサル音楽は、図１０Ｂに示すフローチャートのステップＧ１で音声処理部２１１に入力される。＃Ｍ１用の音声処理部２１１のアンプ３１では、収録されたリハーサル音楽信号を増幅出力するようになされる。アンプ３１の利得はボリューム３４によって調整され、リハーサル音楽信号出力を可変するようになされる。このとき、コントロールポート２１４は、ボリューム３４の移動量を制御してアンプ３１のゲイン（Ｇａｉｎ）を調整するようになされる。
【０１４３】
ここにボリューム調整されたリハーサル音楽信号はアンプ３１からリミッタ／コンプレッサ３２へ出力される。リミッタ／コンプレッサ３２ではステップＧ２でリハーサル音楽信号出力を制限すると共に圧縮するようになされる。このとき、コントロールポート２１４はリミッタ／コンプレッサ３２にパラメータを設定してリハーサル音楽信号出力を制限すると共に圧縮するようになされる。
【０１４４】
圧縮制限後のリハーサル音楽信号はステップＧ３でリミッタ／コンプレッサ３２からＡ／Ｄ変換器３３へ出力され、Ａ／Ｄ変換器３３でアナログ・デジタル変換するようになされる。このＡ／Ｄ変換により、マイクロフォン＃Ｍ１により収録されるデジタルのリハーサル音楽データを出力することができる。他のマイクロフォン＃Ｍ２〜＃Ｍ１６についても、同様な音声処理部２１１が準備され、各々のマイクロフォン＃Ｍ２〜＃Ｍ１６により収録されるデジタルのリハーサル音楽データを得ることができる。
【０１４５】
このとき、モニタＭＩＸ２１３では、バスブリッジ２１２において、１６ＣＨのリハーサル音楽データを２，４，８ＣＨ等に混合するようになされる。例えば、モニタＭＩＸ２１３には上述したコントロールポート２１４から混合制御信号が出力され、この混合制御信号に基づいて１６ＣＨのリハーサル音楽データを混合するようになされる。この映像４ＣＨ分のリハーサル映像データ及び、音声１６ＣＨ分のリハーサル音声データは、ステップＧ４で一旦大容量のローカルファイルＦ１を構成するＨＤＤ２１６に格納される。これにより、リハーサル音楽を自動収録することができる。
【０１４６】
自動収録されたリハーサル映像及び音声データは、図９に示したフローチャートのステップＢ３でＨＤＤ２１６から読み出されてデータストリーマ２１７に出力される。データストリーマ２１７では、ＣＰＵ２１５の制御受けて、リハーサル映像データ及びリハーサル音声データがストリーミング形式の映像音楽素材データＤｉｎに変換され、更に、タイムコードが付加される。
【０１４７】
このタイムコードが付加された映像音楽素材データＤｉｎはＬＡＮコントローラ２１８の制御受けて、ＬＡＮ２４を通じて通信モデム２３に出力される。通信モデム２３では、ステップＢ４でデータストリーマ２１７によって変換されたリハーサル映像音楽素材データＤｉｎをインターネット２０Ａ等を通じてコンテンツ配信サイト１０２の情報編集配信装置１へ送信するようになされる。
【０１４８】
その後、ステップＢ５に移行して終了判断がなされる。映像音楽素材データＤｉｎを全部、情報編集配信装置１へ送信していない場合は、ステップＢ１に戻って上述した処理を繰り返すようになされる。映像音楽素材データＤｉｎを全部、情報編集配信装置１へ送信した場合は、リハーサル映像及び音声データの送信処理を終了する。
【０１４９】
［ライブ映像及び音声データの収録例］
なお、本番収録に関して、リハーサル収録時の図１０Ａ及び図１０Ｂのフローチャートを再度使用する。この例では、リハーサル映像及び、リハーサル音声の収録によって調整された情報収録送出装置＃Ｌｉを使用して本番収録がなされる。
【０１５０】
これを前提にして、例えば、図９に示したフローチャートのステップＢ１で駆動制御部２２では、コンテンツ配信サイトの情報編集配信装置１から遠隔制御情報Ｄ１を受信し、ステップＢ２で４台のカメラ＃Ｃ１〜＃Ｃ４及び１６本のマイクロフォン＃Ｍ１〜＃Ｍ１６を遠隔制御する。例えば、４台のカメラ＃Ｃ１〜＃Ｃ４は、駆動制御部２２による遠隔制御によって、アーティストＭｉによるライブ映像を遠隔撮影するようになされる。ライブ映像は、例えば、転送レート約２５ＭｂｐｓのＤＶフォーマットで撮影される。
【０１５１】
このとき、カメラ＃Ｃ１で撮影されたアーティストＭｉによるライブ映像は、図１０Ｂに示すフローチャートのステップＥ１で映像処理部２２１のＡ／Ｄ変換器３５に出力される。Ａ／Ｄ変換器３５では、カメラ＃Ｃ１により撮影されたライブ映像信号（Ｖｉｄｅｏ）をアナログ／デジタル変換するようになされる。Ａ／Ｄ変換後のライブ映像信号はＡ／Ｄ変換器３５からフレーム同期回路３６へ出力される。フレーム同期回路３６では、ステップＥ２でライブ映像信号のフレーム同期処理をするようになされる。フレーム同期処理後のライブ映像信号は、フレーム同期回路３６から圧縮回路３７へ出力される。圧縮回路３７では、ステップＥ３でフレーム同期処理後のライブ映像信号が圧縮される。圧縮後のライブ映像信号はライブ映像データとなる。
【０１５２】
この圧縮回路３７から、カメラ＃Ｃ１により撮影されたデジタルのライブ映像データを出力することができる。他のカメラ＃Ｃ２〜＃Ｃ４についても、同様な映像処理部２２１が準備され、各々のカメラ＃Ｃ２〜＃Ｃ４により撮影されたデジタルのライブ映像データを得ることができる。ライブ映像データは、ステップＥ４でバスブリッジ２１９を通じてＨＤＤ２１６に格納される。これにより、アーティストＭｉによるライブ映像を自動収録することができる。
【０１５３】
また、１６本のマイクロフォン＃Ｍ１〜＃Ｍ１６では、図１０Ａに示したフローチャートのステップＢ２で駆動制御部２２による遠隔制御によって、アーティストＭｉによるライブ音楽を遠隔収録するようになされる。このとき、コンテンツ配信サイト（編集室）１０２からの指令により、インターネット２０Ａ→コントロールポート経由でアンプのゲイン情報、リミッタコンプレッサ３２のパラメータが受信されそれぞれ反映される。例えば、ライブ音楽は２４ｂｉｔ、９６ｋＨｚにより１６ＣＨで録音される。
【０１５４】
また、コンテンツ配信サイト１０２における音声モニタのために、ＭＩＸ信号を作成し、リアルタイムにコンテンツ配信サイト１０２に送信する。どのチャンネルをモニタとして混合するかといった情報はコンテンツ配信サイト１０２のオペレータが指令を出し、これに基づいて混合を行なう。
【０１５５】
例えば、マイクロフォン＃Ｍ１で収録されたアーティストＭｉによるライブ音楽は、図１０Ｂに示すフローチャートのステップＧ１で音声処理部２１１に入力される。＃Ｍ１用の音声処理部２１１のアンプ３１では、収録されたライブ音楽信号を増幅出力するようになされる。アンプ３１の利得はボリューム３４によって調整され、ライブ音楽信号出力を可変するようになされる。このとき、コントロールポート２１４は、ボリューム３４の移動量を制御してアンプ３１のゲイン（Ｇａｉｎ）を調整するようになされる。
【０１５６】
ここにボリューム調整されたライブ音楽信号はアンプ３１からリミッタ／コンプレッサ３２へ出力される。リミッタ／コンプレッサ３２ではステップＧ２でライブ音楽信号出力を制限すると共に圧縮するようになされる。このとき、コントロールポート２１４はリミッタ／コンプレッサ３２にパラメータを設定してライブ音楽信号出力を制限すると共に圧縮するようになされる。
【０１５７】
圧縮制限後のライブ音楽信号はステップＧ３でリミッタ／コンプレッサ３２からＡ／Ｄ変換器３３へ出力され、Ａ／Ｄ変換器３３でアナログ・デジタル変換するようになされる。このＡ／Ｄ変換により、マイクロフォン＃Ｍ１により収録されるデジタルのライブ音楽データを出力することができる。他のマイクロフォン＃Ｍ２〜＃Ｍ１６についても、同様な音声処理部２１１が準備され、各々のマイクロフォン＃Ｍ２〜＃Ｍ１６により収録されるデジタルのライブ音楽データを得ることができる。
【０１５８】
このとき、モニタＭＩＸ２１３では、バスブリッジ２１２において、１６ＣＨのライブ音楽データを２，４，８ＣＨ等に混合するようになされる。例えば、モニタＭＩＸ２１３には上述したコントロールポート２１４から混合制御信号が出力され、この混合制御信号に基づいて１６ＣＨのライブ音楽データを混合するようになされる。
【０１５９】
この映像４ＣＨ分のライブ映像データ及び、音声１６ＣＨ分のライブ音声データはＨＤＤ２１６にアーカイブされる。このライブ音声データは圧縮させずに全チャンネルがＨＤＤ２１６に記録されるが、何らかのフォーマットで圧縮してもよい。これにより、アーティストＭｉによるライブ音楽を自動収録することができる。
【０１６０】
自動収録されたライブ映像及び音声データは、図９に示したフローチャートのステップＢ３でＨＤＤ２１６から読み出されてデータストリーマ２１７に出力される。データストリーマ２１７では、ＣＰＵ２１５の制御受けて、ライブ映像データ及びライブ音声データがストリーミング形式の映像音楽素材データＤｉｎに変換され、更に、タイムコードが付加される。これはコンテンツ配信サイト１０２において編集時に画像と音声の同期を取るためである。
【０１６１】
このタイムコードが付加された映像音楽素材データＤｉｎはＬＡＮコントローラ２１８の制御受けて、ＬＡＮ２４を通じて通信モデム２３に出力される。通信モデム２３では、ステップＢ４でデータストリーマ２１７によって変換された映像音楽素材データＤｉｎをインターネット２０Ａ等を通じてコンテンツ配信サイト１０２の情報編集配信装置１へ送信するようになされる。
【０１６２】
その後、ステップＢ５に移行して終了判断がなされる。映像音楽素材データＤｉｎを全部、情報編集配信装置１へ送信していない場合は、ステップＢ１に戻って上述した処理を繰り返すようになされる。映像音楽素材データＤｉｎを全部、情報編集配信装置１へ送信した場合は、ライブ映像及び音声データの送信処理を終了する。
【０１６３】
このように、本発明に係る情報収録送出装置＃Ｌ１によれば、アーティストＭｉによるライブに基づくライブ映像データ及びライブ音声データを収録出力処理する場合に、コンテンツ配信サイト１０２の情報編集配信装置１から遠隔制御情報Ｄ１を受信し、４台のカメラ＃Ｃ１〜＃Ｃ４及び１６本のマイクロフォン＃Ｍ１〜＃Ｍ１６を遠隔制御する駆動制御部２２が備えられるものである。
【０１６４】
従って、４台のカメラ＃Ｃ１〜＃Ｃ４や１６本のマイクロフォン＃Ｍ１〜＃Ｍ１６の操作及び、これらの撮影・収録レベルの調整等を人手を介さずに設定できるので、ライブハウス＃１での収録オペレータの無人化を図ることができる。これにより、アーティストＭｉによるライブ映像及び音声データを全世界に配信する映像付き高音質音楽ライブ配信システム１００の構築に寄与することができる。
【０１６５】
［情報編集配信装置］
図１１は本発明に係る実施例としての情報編集配信装置１の構成例を示すブロック図である。図１２は情報編集配信装置１における遠隔操作例を示す図である。
【０１６６】
この実施例で情報編集配信装置１は、情報収録送出装置＃Ｌｉによって収録される映像音楽素材データＤｉｎを一元編集及びアーティストＭｉの著作権を一元管理すると共に、アーティストＭｉによるライブ映像及び音楽データＤｏｕｔを全世界又は国内に配信するようになされる。
【０１６７】
図１１に示す情報編集配信装置１は、映像付き高音質音楽ライブ配信システム１００の各々の情報収録送出装置＃Ｌｉからタイムコード付きの映像音楽素材データＤｉｎを入力して情報編集処理したライブ映像及び音楽データＤｏｕｔをユーザＵｊに配信するものである。情報編集配信装置１はコンテンツ配信サイト１０２となる一の国又は国内に配置される。情報編集配信装置１は、パーソナルコンピュータ４００及び配信サーバ１５から構成される。
【０１６８】
パーソナルコンピュータ４００は、素材ファイル１２、情報編集エディタ４１、モニタ４２、キーボード４３、遠隔操作用のデータ送出部４４、制御装置４５、マウス４６及び、マイクロフォン４７を有している。キーボード４３及びマウス４６は入力手段の一例であり、情報収録送出装置＃Ｌｉを遠隔制御するための情報を含む操作情報を入力するように操作される。マイクロフォン４７は編集者の音声をライブ音声データ等に混合する際に使用される。
【０１６９】
モニタ４２は情報収録送出装置＃Ｌｉを遠隔制御するための設定画面を表示するものである。例えば、図１２に示すように、モニタ設定画面Ｐ１はカメラ映像表示領域Ｐ１１と、マイク調整表示領域Ｐ１２とに分割される。カメラ映像表示領域Ｐ１１には、４台のカメラ＃Ｃ１〜＃Ｃ４の撮影映像が表示されると共に、各々のカメラ＃Ｃ１〜＃Ｃ４の向きを変更したり、ズーム、パン・チルト処理等するジョイスティックキー４２１が表示される。ジョイスティックキー４２１は例えば、マウスポインタにより上下・左右（Ｔ−Ｗ）に操作するようになされる。
【０１７０】
また、マイク調整表示領域Ｐ１２には、１６本のマイクロフォン＃Ｍ１〜＃Ｍ１６のボリューム調整映像が表示されると共に、この領域の上方には、各々のマイクロフォン＃Ｍ１〜＃Ｍ１６の入力レベルを表示するレベル表示領域Ｐ１３が割り当てられる。また、この領域Ｐ１３の下方には、マイクロフォン＃Ｍ１〜＃Ｍ１６の各々について、ボリューム調整用のスライドキー４２２が表示される。この１６本のマイクロフォン＃Ｍ１３〜＃Ｍ１６については、収録方向を調整するジョイスティックキー４２３が表示される。スライドキー４２２は、例えば、マウスポインタにより上下（Ｔ−Ｗ）に操作するようになされ、ジョイスティックキー４２３は、マウスポインタにより上下及び左右に操作するようになされる。
【０１７１】
これにより、コンテンツ配信サイト１０２の編集者は、モニタ４２の表示画面を見ながら、キーボード４３及びマウス４６を操作することにより、遠隔地のライブハウス＃１の情報収録送出装置＃Ｌｉに接続された、４台のカメラ＃Ｃ１〜＃Ｃ４及び、１６本のマイクロフォン＃Ｍ１〜＃Ｍ１６を調整することができる。
【０１７２】
また、図１１に示す素材ファイル１２は、情報収録送出装置＃Ｌｉから入力した映像音楽素材データＤｉｎを格納するメモリである。素材ファイル１２は映像用素材ファイル１２Ａ及び、音声用素材ファイルを有している。いずれも、ハードディスク（ＨＤＤ）等から構成される。素材ファイル１２に格納された映像音楽素材データＤｉｎは、情報編集手段の一例となる情報編集エディタ４１に出力される。情報編集エディタ４１は編集済みファイル１３及び、完パケファイル１４を有している。情報編集エディタ４１では、各々の情報収録送出装置＃Ｌｉから映像音楽素材データＤｉｎを入力して情報編集処理するようになされる。
【０１７３】
例えば、情報編集エディタ４１では情報収録送出装置＃Ｌｉから転送されてきた映像音楽素材データＤｉｎを素材ファイル１２から読み出す。情報編集エディタ４１では、素材ファイル１２から読み出した映像音楽素材データＤｉｎを加工して、ユーザＵｊへ配信されるオプション形態によって決まるチャンネル数やカメラアングル数になるように映像音楽素材データＤｉｎを編集するようになされる。
【０１７４】
また、音声編集では情報編集エディタ４１によって音質の調整も行われる他、通常のマルチトラックソースのミックスダウン作業が行われる。例えば、ライブ音楽に係る音楽素材データは、ステレオ方式や５．１サラウンド方式にミックスダウンされる。更に、ライブ映像に係る映像素材データも一般的な画像編集ソフトウエアなどを用いて編集が行われ、最終的にはライブ映像データとライブ音楽データとがタイムコード等により同期が取られる。編集後の映像及び音楽データは編集済ファイル１３に一旦格納される。この例では、２４ｂｉｔ、９６ｋＨｚ及び１６ＣＨで録音されたライブ音声データが、図示しないデジタルミキサで２４ｂｉｔ、９６ｋＨｚ及び８ＣＨにミックスダウンされる。
【０１７５】
更にまた、情報編集エディタ４１ではオーサリング段階で編集済みの映像及び音声データをエンコードして、１つのファイルにまとめ、インターネット２０Ｂで配信できるような各種フォーマットに変換される。例えば、転送レート約２５ＭｂｐｓのＤＶフォーマットで撮影された４ＣＨ分のライブ映像データは、転送レートが低いＭＰＥＧ２の標準（約４Ｍｂｐｓ）又は高画質（約６Ｍｂｐｓ）に変換される。編集後の４ＣＨ映像データと８ＣＨ音声データのタイムコードが合わせられる。このエンコード後の映像及び音楽データは、完パケファイル１４に一旦格納される。
【０１７６】
高画質４ＣＨのライブ映像データ及び、８ＣＨのライブ音声データの両者を合わせた転送レートは約４０Ｍｂｐｓとなる。この転送レートは、通信事業者（ＮＴＴ）のＢフレッツ、１００Ｍｂｐｓが実際に規格値を満たすようになれば、充分配信可能な容量である。タイムコードを合わせた編集後の４ＣＨ映像と８ＣＨ音声データは送出用の配信サーバ１５にアーカイブするようになされる。
【０１７７】
上述の情報編集エディタ４１には、編集配信制御手段の一例となる制御装置４５が接続され、この制御装置４５には配信サーバ１５が接続される。制御装置４５では、キーボード４３及びマウス４６からの操作情報に基づいて情報編集エディタ及び配信サーバ１５の入出力を制御するようになされる。配信サーバ１５では情報編集エディタ４１により編集されたライブ映像及び音楽データＤｏｕｔをユーザＵｊに配信するようになされる。
【０１７８】
この制御装置４５には通信モデム等により構成されるデータ送出部４４が接続される。制御装置４５はデータ送出部４４を通じて、情報収録送出装置＃Ｌｉへ遠隔制御情報Ｄ１を送信し、アーティストＭｉによるライブ映像及び音楽を自動収録するように情報収録送出装置＃Ｌｉを遠隔制御するようになされる。例えば、制御装置４５は情報収録送出装置＃Ｌｉへ遠隔制御情報Ｄ１を送信し、アーティストＭｉによるライブ映像及び音楽を自動収録するように４台のカメラ＃Ｃ１〜＃Ｃ４及び１６本のマイクロフォン＃Ｍ１〜＃Ｍ１６を遠隔制御する。
【０１７９】
この他に、制御装置４５は情報編集エディタ４１によって情報編集処理されたライブ映像及び音楽データＤｏｕｔに関してアーティストＭｉの承諾を取得し、アーティストＭｉの承諾を取得した後のライブ映像及び音楽データＤｏｕｔを配信サーバ１５からユーザＵｊへ配信するように制御する。例えば、制御装置４５はライブ映像及び音楽データＤｏｕｔに複製禁止処理を施すように配信サーバ１５を制御する。例えば、配信サーバ１５からユーザＵｊの情報処理装置＃Ｐｊへ複製困難なデータストリーミング形式によりライブ映像及び音楽データＤｏｕｔを配信するようになされる。これにより、ライブ映像及び音楽データＤｏｕｔの不正な複製を防止できるようになる。
【０１８０】
この例で制御装置４５は、配信サーバ１５を制御して、一のライブハウス＃ｉに係る複数のライブ映像及び音楽データＤｏｕｔを多重処理して配信するように配信サーバ１５を制御する。このデータ配信によって、ユーザＵｊの情報処理装置で一のライブハウス＃ｉに係るライブ映像及び音楽データＤｏｕｔを任意に選択可能なようになる。しかも、ユーザＵｊにおいて、ライブ映像及び音楽データＤｏｕｔの選別の自由度を拡大することができる。
【０１８１】
続いて、情報編集配信装置１における処理例について説明をする。この例では情報編集配信装置１における情報収録時の遠隔制御例、情報編集時の処理例及び情報配信時の処理例の３つに分けて説明をする。
【０１８２】
この実施例の配信形態に関しては、ユーザＵｊの情報処理装置のハードディスクへダウンロードする場合を想定し、また、データ複写の危険性が少ないストリーミング配信形式を前提とし、更に、ユーザＵｊの利便性を考慮してオンデマンド放送をする場合について例を挙げる。
【０１８３】
［情報収録時の遠隔制御例］
図１３は情報編集配信装置１における情報収録時の遠隔制御例を示すフローチャートである。
この実施例では、ライブハウス＃Ｉ等に配置された情報収録送出装置＃Ｌｉとコンテンツ配信サイト１０２に配置された情報編集配信装置１とがインターネット２０Ａを通じて接続される場合を前提とする。
【０１８４】
これを制御条件にして、図１３に示すフローチャートのステップＱ１でキーボード４３及びマウス４６を操作して情報収録送出装置＃Ｌｉを遠隔制御するための情報を含む操作情報を入力する。このとき、図１１に示したモニタ４２には、図１２に示したようなカメラ映像表示領域と、マイク調整表示領域とが分割されたモニタ設定画面が表示される。
【０１８５】
このカメラ映像表示領域に表示された４台のカメラ＃Ｃ１〜＃Ｃ４の撮影映像の向きを例えば、ステップＱ１１で変更したり、ズーム、パン・チルト処理等する場合に、ステップＱ１２では、このモニタ設定画面上でマウスポインタを移動してジョイスティックキー４２１を操作しカメラ＃Ｃ１を調整するようになされる。例えば、＃Ｃ１用のジョイスティックキー４２１を上下・左右（Ｔ−Ｗ）に操作すると、カメラ＃Ｃ１によりズーム処理された撮影が表示される。
【０１８６】
また、マイク調整表示領域に表示された１６本のマイクロフォン＃Ｍ１〜＃Ｍ１６のボリュームをステップＱ２１で調整する場合に、この領域上方に表示された入力レベルを確認しながら、ステップＱ２２で各々のマイクロフォン＃Ｍ１〜＃Ｍ１６のゲインを調整する。例えば、この領域下方に表示された＃Ｍ１のスライドキー４２２を例えば、マウスポインタにより上方向（Ｔ方向）に操作すると、マイクロフォン＃Ｍ１の入力レベルが増加するように表示され、実際に、遠隔地の情報収録送出装置＃Ｌｉに接続されたマイクロフォン＃Ｍ１の入力レベルが高くなるようになされる。
【０１８７】
その後、ステップＱ３に移行して遠隔制御情報Ｄ１を作成する。遠隔制御情報Ｄ１はステップＱ１１，Ｑ１２、Ｑ２１及びＱ２２により得られた調整値に基づいて作成される。このような遠隔制御情報Ｄ１は、ステップＱ４で制御装置４５の制御を受けて、データ送出部４４を通じて情報収録送出装置＃Ｌｉへ送信され、アーティストＭｉによるライブ映像及び音楽を自動収録するように情報収録送出装置＃Ｌｉを遠隔制御するようになされる。
【０１８８】
これにより、コンテンツ配信サイト１０２の編集者は、モニタ４２の表示画面を見ながら、キーボード４３及びマウス４６を操作することにより、遠隔地のライブハウス＃１の情報収録送出装置＃Ｌｉに接続された、４台のカメラ＃Ｃ１〜＃Ｃ４及び、１６本のマイクロフォン＃Ｍ１〜＃Ｍ１６を調整することができる。
【０１８９】
その後、ステップＱ５に移行して終了判断がなされる。遠隔制御情報Ｄ１を全部、情報収録出力装置＃１へ送信していない場合は、ステップＱ１に戻って上述した処理を繰り返すようになされる。遠隔制御情報Ｄ１を全部送信した場合は、ライブ映像及び音声データの送信処理を終了する。このとき、編集者の音声をライブ音声データ等に混合する場合は、マイクロフォン４７を使用して入力される。これにより、情報収録送出装置＃Ｌｉでは、図１０Ａ及び図１０Ｂに示したように、アーティストＭｉのライブ映像が自動撮影され、及び、ライブ音声を自動収録することができる。
【０１９０】
［情報編集時の処理例］
図１４は情報編集配信装置１における情報編集時の処理例を示すフローチャートである。
この実施例では、制御装置４５によって情報編集エディタ４１の入出力が制御され、この制御によって情報編集エディタ４１では、各々の情報収録送出装置＃Ｌｉから映像音楽素材データＤｉｎを入力して情報編集処理をするようになされる。もちろん、素材ファイル１２には、情報収録送出装置＃Ｌｉから入力した映像音楽素材データＤｉｎが格納されている。
【０１９１】
これを前提にして、情報編集エディタ４１では、図１４に示すフローチャートのステップＲ１で素材ファイル１２から映像音楽素材データＤｉｎが読み出される。情報編集エディタ４１では、ステップＲ２で素材ファイル１２から読み出した映像音楽素材データＤｉｎを加工して、ユーザＵｊへ配信されるオプション形態によって決まるチャンネル数やカメラアングル数になるように映像音楽素材データＤｉｎを編集するようになされる。
【０１９２】
また、音声編集では情報編集エディタ４１によって音質の調整も行われる他、通常のマルチトラックソースのミックスダウン作業が行われる。例えば、ライブ音楽に係る音楽素材データＤｉｎは、ステレオ方式や５．１サラウンド方式にミックスダウンされる。
【０１９３】
更に、ライブ映像に係る映像素材データＤｉｎも一般的な画像編集ソフトウエアなどを用いて編集が行われ、最終的にはライブ映像データとライブ音楽データとがタイムコード等により同期が取られる。編集後の映像及び音楽データは、ステップＲ３で編集済ファイル１３に一旦格納される。この例では、２４ｂｉｔ、９６ｋＨｚ及び１６ＣＨで録音されたライブ音声データが、図示しないデジタルミキサで２４ｂｉｔ、９６ｋＨｚ及び８ＣＨにミックスダウンされる。
【０１９４】
更にまた、情報編集エディタ４１ではオーサリング段階で編集済みの映像及び音声データをエンコードして、１つのファイルにまとめ、インターネット２０Ｂで配信できるような各種フォーマットに変換される。例えば、転送レート約２５ＭｂｐｓのＤＶフォーマットで撮影された４ＣＨ分のライブ映像データは、転送レートが低いＭＰＥＧ２の標準（約４Ｍｂｐｓ）又は高画質（約６Ｍｂｐｓ）に変換される。編集後の４ＣＨ映像データは、ステップＲ５で８ＣＨ音声データのタイムコードに合わせ込まれる。このエンコード後の映像及び音楽データは、ステップＲ６で完パケファイル１４に一旦格納される。
【０１９５】
高画質４ＣＨのライブ映像データ及び、８ＣＨのライブ音声データの両者を合わせた転送レートは約４０Ｍｂｐｓとなる。この転送レートは、通信事業者（ＮＴＴ）のＢフレッツ、１００Ｍｂｐｓが実際に規格値を満たすようになされる。このタイムコードを合わせた編集後の４ＣＨ映像と８ＣＨ音声データは送出用の配信サーバ１５に転送される。
【０１９６】
その後、ステップＲ７に移行して終了判断がなされる。ライブ映像及び音声データを完パケファイル１４に全部格納していない場合は、ステップＲ１に戻って上述した処理を繰り返すようになされる。ライブ映像及び音声データを完パケファイル１４に全部格納した場合は、ライブ映像及び音声データの加工・編集処理を終了する。
【０１９７】
［情報配信時の処理例］
図１５は情報編集配信装置１における情報配信時の処理例を示すフローチャートである。この実施例では、情報編集エディタ４１によって情報編集処理されたライブ映像及び音楽データＤｏｕｔに関してアーティストＭｉの承諾を取得するようになされる。アーティストＭｉの承諾を取得した後のライブ映像及び音楽データＤｏｕｔを配信サーバ１５からユーザＵｊへ配信する場合を前提とする。
【０１９８】
これを処理条件にして、制御装置４５ではキーボード４３及びマウス４６からの操作情報に基づいて配信サーバ１５の入出力を制御するようになされる。例えば、図１５に示すフローチャートのステップＴ１で完パケファイル１４から情報編集処理後のライブ映像及び音楽データＤｏｕｔを読み出してアーティストＭｉの端末装置へ転送する。この際のライブ映像及び音楽データＤｏｕｔの転送にはインターネットが使用される。
【０１９９】
次に、情報編集処理後のライブ映像及び音楽データＤｏｕｔに関してステップＴ２でアーティストＭｉの承諾を取得する。ここでアーティストＭｉの承諾を取得できない場合には、ステップＴ３に移行して、再加工・編集処理を実行する。再加工編集処理では、図１４に示した処理を繰り返すようになされる。この再加工編集結果において、アーティストＭｉの承諾を取得できた場合は、ステップＴ４に移行して承諾取得後のライブ映像及び音楽データＤｏｕｔを完パケファイル１４から配信サーバ１５へ転送する。このとき、図４に示したアーティスト管理サーバ１６にアーティスト確認情報や、利用条件設定電子契約の他にアーティストＭｉから承諾情報を記憶するようにしてもよい。
【０２００】
その後、制御装置４５はステップＴ５で、承諾取得後のライブ映像及び音楽データＤｏｕｔを配信サーバ１５からユーザＵｊへ配信するようになされる。このとき、制御装置４５はライブ映像及び音楽データＤｏｕｔに複製禁止処理を施すように配信サーバ１５を制御する。例えば、配信サーバ１５からユーザＵｊの情報処理装置へ複製困難なデータストリーミング形式によりライブ映像及び音楽データＤｏｕｔを配信するようになされる。これにより、ライブ映像及び音楽データＤｏｕｔの不正な複製を防止できるようになる。
【０２０１】
また、制御装置４５は一のライブハウス＃ｉに係る複数のライブ映像及び音楽データＤｏｕｔを多重処理して配信するように配信サーバ１５を制御する。その後、ステップＴ６に移行して他のライブハウス＃ｉに係るデータ配信処理を終了したかが判断される。他のライブハウス＃ｉに係るデータ配信処理を終了していない場合は、ステップＴ１に戻って上述した処理を繰り返すようになされる。他のライブハウス＃ｉに係るデータ配信処理を終了した場合は、ライブ映像及び音声データの配信処理を終了する。
【０２０２】
このようなデータ配信によって、ユーザＵｊの情報処理装置で任意のライブハウス＃ｉに係るライブ映像及び音楽データＤｏｕｔを任意に選択可能なようになる。しかも、ユーザＵｊにおいて、ライブ映像及び音楽データＤｏｕｔの選別の自由度を拡大することができる。
【０２０３】
このように、本発明に係る実施例としての情報編集配信装置１によれば、情報収録送出装置＃Ｌｉから映像音楽素材データＤｉｎを入力して編集配信処理する場合に、この情報収録送出装置＃Ｌｉへ遠隔制御情報Ｄ１を送信し、アーティストＭｉによるライブ映像及び音楽を自動収録するように遠隔制御をする制御装置４５が備えられるものである。
【０２０４】
従って、ライブハウス＃１等において、ライブ映像を撮影する４台のカメラ＃Ｃ１〜＃Ｃ４の操作、ライブ音楽を収録する１６本のマイクロフォン＃Ｍ１〜＃Ｍ１６の操作及び、これらの撮影・収録レベルの調整等を人手を介さずにコンテンツ配信サイト１０２で設定できる。しかも、情報収録送出装置＃Ｌｉでは、図１０Ａ，Ｂに示したように、アーティストＭｉのライブ映像が自動撮影され、及び、ライブ音声を自動収録することができるので、ライブハウス＃１等での収録オペレータの無人化を図ることができる。
【０２０５】
これにより、世界各地に存在するライブハウス等でライブ演奏され、このライブ演奏によって自動収録される映像音楽素材データＤｉｎを一の国で一元編集及びアーティストＭｉの著作権を一元管理することができ、そのアーティストＭｉによるライブ映像及び音楽に関するライブ映像及び音楽データＤｏｕｔを全世界に配信する映像付き高音質音楽ライブ配信システム１００の構築に寄与するところが大きい。
【０２０６】
［情報処理装置］
図１６は本発明に係る映像付き高音質音楽ライブ配信システム１００における受信側システムの構成例を示すブロック図である。
この実施例で受信側システムには情報処理装置の一例となるインターネットテレビ（通常のテレビを含む）６０、ホームサーバ７０、ＡＶアンプ８０、デスクトップ型やノート型のパーソナルコンピュータ（単にパソコンという）９０等が使用され、これらの情報処理装置には、図４に示したインターネット２０Ｂを通じてコンテンツ配信サイト１０２の配信サーバ１５や、図１１に示した情報編集配信装置１の配信サーバ１５等が接続され、この配信サーバ１５からライブ映像及び音楽データＤｏｕｔを受信して処理するようになされる。
【０２０７】
この例では、ユーザＵｊと配信元の関係において、ＩＰＳ接続業者の配信サーバ１５からユーザＵｊの情報処理装置へ配信されるライブ映像及び音楽データＤｏｕｔに関する再生方式が、例えば、「スタンダード」や、３つの「オプションＡ〜Ｃ」が利用料金別に分類され準備されている。
【０２０８】
▲１▼  「スタンダード」は、ステージ全体を撮影するカメラ＃Ｃ１により撮影された１ＣＨのライブ映像及び、左右のマイクロフォンにより収録した高音質、編集済の２ＣＨのライブ音楽を再生する再生方式である。この「スタンダード」の再生方式は、例えば、パソコン等のＧＵＩ（Ｇｒａｐｈｉｃ  Ｕｓｅｒ  Ｉｎｔｅｒｆａｃｅ）機能を利用して選択される。ユーザＵｊは、初めにステージ全体を見たり、その演奏を聴く場合に「スタンダード」の再生方式を選択するとよい。
【０２０９】
▲２▼  「オプションＡ」は、２つの例えば、カメラ＃Ｃ１及び＃Ｃ２により撮影された２ＣＨのライブ映像及び、左右のマイクロフォンにより収録した高音質、編集済の４ＣＨのライブ音楽を再生する再生方式である。この「オプションＡ」の再生方式は、例えば、他のカメラアングルや音声のチャンネル数を増やしたい場合に選択される。
【０２１０】
▲３▼  「オプションＢ」は、３つの例えば、カメラ＃Ｃ１〜＃Ｃ３により撮影された３ＣＨのライブ映像及び、左右のマイクロフォンにより収録した高音質、編集済の８ＣＨのライブ音楽を再生する再生方式である。音声に関して、「オプションＡ」と同様に編集済みであるが、各ＣＨの音量調整が可能となっている。この「オプションＢ」の再生方式は、更なる要望として、他のカメラアングルや音声のチャンネル数を増やしたい場合に選択される。
【０２１１】
▲４▼  「オプションＣ」は、４つのカメラ＃Ｃ１〜＃Ｃ４により撮影された４ＣＨのライブ映像及び、左右のマイクロフォンにより収録した高音質、編集済の１６ＣＨのライブ音楽を再生する再生方式である。音声に関して、「オプションＡ」と同様に編集済みであるが、各ＣＨの音量調整及び、音質をユーザＵｊによって調整することが可能となっている。このようなユーザＵｊの視聴スタイルの一例として「スタンダード」や、３つの「オプションＡ〜Ｃ」等を提示したが、料金もコンテンツ内容量（ボリューム）によって異なるようになされる。
【０２１２】
上述の配信元とユーザＵｊの関係において再生方式が分類される受信側システム、つまり、図１６に示す視聴者の各家庭Ｈｊには、いわゆるホームシアターシステムとして、通信モデム４０、ルータ（ハブ）５０及び、インターネットテレビ６０、ホームサーバ７０、ＡＶアンプ８０、ノート型のパソコン９０等が使用され、これらは家庭内のＬＡＮ３０に接続される。
【０２１３】
通信モデム４０は、一方を公衆回線に接続され、他方をルータ５０に接続される。通信モデム４０には加入者端末（ＯＮＵ）や、ＡＤＳＬモデムが使用される。ライブ映像及び音声データ（コンテンツ）Ｄｏｕｔは、インターネット配信業者（ＩＳＰ業者）１０４から光ファイバ（ＦＴＴＨ）や電話回線（ＡＤＳＬ）等の公衆回線を通して、通信モデム４０により家庭内に取り込まれる。通信モデム４０により取り込まれたライブ映像及び音声データは、ルータ５０を経由して家庭内ＬＡＮ３０に伝送される。
【０２１４】
このような家庭内ＬＡＮ３０に接続されるホームシアターシステムは、テレビ受像機と音声再生システムから構成される。テレビ受像機には、例えば、大画面を構成するプラズマディスプレイパネル（ＰＤＰ）装置が使用され、音声再生システムには５．１サラウンド方式の音声再生装置が使用される。
【０２１５】
図１７は、ノート型のパソコン９０を使用した受信側システム２００の構成例を示す概念図である。図１７に示すノート型のパソコン９０は、家庭内ＬＡＮ３０に接続され、パソコン本体にはステレオ方式のスピーカ９１，９２が接続される。パソコン９０で配信サーバ１５からライブ映像及び音楽データＤｏｕｔを受信して処理する場合、キーボード９４や、マウス９５を操作して、再生方式を選択するようになされる。モニタ９３には予め選択した再生方式によりライブ映像が表示され、左右のスピーカ９１，９２からライブ音楽を出力するようになされる。
【０２１６】
図１８は、インターネットテレビ６０を使用した受信側システムの構成例を示す概念図である。
図１８に示すインターネットテレビ６０は家庭内ＬＡＮ３０に接続され、インターネットテレビ６０には、予めステレオ方式のスピーカ９１’、９２’が組み込まれている。インターネットテレビ６０で配信サーバ１５からライブ映像及び音楽データＤｏｕｔを受信して処理する場合、インターネットテレビ６０の操作パネルに設けられた操作キー９４’を操作して、再生方式を選択するようになされる。モニタ９３’の表示画面には予め選択した再生方式によりライブ映像が表示され、左右のスピーカ９１’、９２’からライブ音楽を出力するようになされる。
【０２１７】
この例では、ホームシアターシステム、パソコンを使用した受信側システム及び、インターネットテレビ６０を使用した受信側システムのいずれの場合においても、ライブ映像及び音声データの再生に関して、「ＣＤクオリティ」、「２ｃｈ，９６ｋ−２４Ｂｉｔ」、「サラウンド，９６ｋ−２４Ｂｉｔ」、「マルチトラック，９６ｋ−２４Ｂｉｔ，マルチ画面」、［マルチトラック，ＤＳＤ」などの選択肢から要望する再生方式を選択するようになされる。
【０２１８】
次に、受信側システムにおける処理例について説明をする。図１９Ａはメニュー選択画面の表示例、図１９Ｂはリモコン３００の操作例を示す図である。
この実施例では、マルチトラック・マルチ画面の場合について説明をする。家庭内ＬＡＮ３０には図１６に示したようにテレビ６０や、ホームサーバ７０、ＡＶアンプ８０などの各家庭用（ＩＴ）機器が接続される。ここで行われる画像や音声の信号処理は、インテリジェンスを持ったインターネットテレビ６０で行われる場合を想定する。もちろん、家庭内サーバや図１７に示したパソコン上で信号処理を行い、その結果を通常のテレビ６０などのＡＶ機器に転送しても良い。
この例では、音声８トラック＋画像４画面の再生方式が選択された場合を例に挙げる。
【０２１９】
図１９Ａに示すメニュー選択画面Ｐ２は、例えば、インターネットテレビ６０において、図示しない前画面で音声８ＣＨ（トラック）＋９６Ｋ−２４Ｂｉｔ＋画像４画面の再生方式を選択し、その画面で確認ボタン「ＯＫ」を押下することにより表示される。
【０２２０】
このメニュー選択画面Ｐ２には、「おまかせ」モードＭＤ１及び、「自分で設定」モードＭＤ２が表示される。「おまかせ」モードＭＤ１は情報提供業者４によってライブ収録時に編集された音声及び各チャネル平均音量で再生され、及び１画面のみの映像が表示されるモードである。ユーザＵｊがこの「おまかせ」モードＭＤ１を選択した場合は、予め定められたパラメータがインターネットテレビ６０に送られ、自動的にパラメータが設定される。これにより、ユーザＵｊは調整無しでライブ映像及び音楽を視聴することができる。
【０２２１】
なお、図１９Ａに示したメニュー選択画面Ｐ２には、「自分で設定」モードＭＤ２を選択した後のサブメニュー表示画面Ｐ２１が重ねて表示された例である。これらのメニュー選択画面Ｐ２やサブメニュー選択画面Ｐ２１はインターネットテレビ６０のＧＵＩ機能を利用して選択操作される。例えば、図１９Ａに示した「自分で設定」モードＭＤ２を選択すると、このモードの隣りにサブメニュー選択画面Ｐ２１が展開され、図１９Ｂに示すリモコン３００を操作して、このメニュー選択画面Ｐ２上で各種設定ができるようになっている。
【０２２２】
図１９Ｂに示すリモコン３００には、メニュー選択用のメニュー（ＭＥＮＵ）キーＫ１と、項目選択用の左右矢印キーＫ２，Ｋ３及び上下矢印キーＫ４，Ｋ５と、項目決定用の決定キーＫ６と、制御量設定用の「＋／−」キーＫ７，Ｋ８とが設けられている。図１９Ｂにおいて、リモコン３００のメニューキーＫ１を押下すると、インターネットテレビの画面上に図１９Ａに示したメニュー選択画面Ｐ２が表示される。
【０２２３】
サブメニュー選択画面Ｐ２１には、「画面」タグＴＧ１、「音声入力」タグＴＧ２及び「サラウンド」タグＴＧ３が表示され、各設定が自由にできるようになされる。「おまかせ」モードＭＤ１では満足しないユーザＵｊは、「自分で設定」モードＭＤ２を選択することにより、コンテンツ配信サイト１０２で予め準備された配信データの範囲内で、ライブ映像及び音楽を自分の好みに合った状態に設定できるようになる。
【０２２４】
［音声調整例］
図２０はインターネットテレビ６０上の音声入力設定画面Ｐ３の表示例を示す図である。図２０に示す音声入力設定画面Ｐ３は、図１９Ａで「音声入力」タグＴＧ２を選択することにより、メニュー選択画面Ｐ２から音声入力設定画面Ｐ３へ表示が切り替わったものである。音声入力設定画面Ｐ３には、例えば、チャンネル（Ｃｈａｎｎｅｌ；調整項目番号）「１」〜「８」を表示するチャンネル領域Ｐ３１が割り当てられる。チャンネル「１」〜「８」の下方には各楽器名を表示する楽器表示領域Ｐ３２が割り当てられる。
【０２２５】
この例でチャンネル「１」の下方には、ギター（Ｇｕｉｔａｒ−１）が表示され、チャンネル「２」の下方には、ギター（Ｇｕｉｔａｒ−２）が表示され、チャンネル「３」の下方には、ベース（Ｂａｓｅ）が表示され、チャンネル「４」の下方には、キーボード（ＫｅｙＢｄ）が表示され、チャンネル「５」の下方には、ボーカル（Ｖｏｃａｌ）が表示され、チャンネル「６」の下方には、コーラス（Ｃｈｏｒｕｓ）が表示され、チャンネル「７」の下方には、ドラムス（Ｄｒａｍｓ）が表示され、チャンネル「８」の下方には、パーカション（Ｐｅｒｃ．）が各々表示される。いずれもライブハウス＃１等で使用される楽器に対応したものである。
【０２２６】
これらの楽器表示領域Ｐ３２の下方には、サラウンドパンナ表示領域Ｐ３３が割り当てられている。サラウンドパンナ表示領域Ｐ３３には視聴位置を原点にしたスピーカ位置を示す第１象限（Ｒ）、第２象限（Ｌ）、第３象限（ＬＳ）及び第４象限（ＲＳ）を有するグラフが表示される。第１〜第４象限のいずれかの中から音像の位置を選択できるようになされている。
【０２２７】
この例で、チャンネル「１」のギターに対して、第１象限の音像位置が選択され、チャンネル「２」のギターに対して、第２象限の音像位置が選択され、チャンネル「３」のベースに対して、第１象限の音像位置が選択され、チャンネル「４」のキーボードに対して、第２象限の音像位置が選択され、チャンネル「５」のボーカルに対して、第１象限の音像位置が選択され、チャンネル「６」のコーラスに対して、第４象限の音像位置が選択され、チャンネル「７」のドラムスに対して、第２象限の音像位置が選択され、チャンネル「８」のパーカッションに対して、第１象限の音像位置が各々選択されている。
【０２２８】
このサラウンドパンナ表示領域Ｐ３３の下方には、音量調整フェーダ（スライドスイッチ）表示領域Ｐ３４が割り当てられている。音量調整フェーダ表示領域Ｐ３４には、上述した楽器やボーカル、コーラス毎に、音量調整フェーダ３４１が上下に移動可能となされ、ライブ音楽の音源毎に音量調整可能なようになされる。これにより、ライブ音楽を構成する各楽器やボーカル、コーラス等の音量バランスを取ることができる。音量調整フェーダ表示領域Ｐ３４の右側には、マスタボリュームキー３４２が表示され、ライブ音楽全体の音量を調整できるようになされる。
【０２２９】
この音量調整フェーダ表示領域Ｐ３４の下方には、ミュート（Ｍｕｔｅ）キー表示領域Ｐ３５が割り当てられ、上述した楽器やボーカル、コーラス毎に、音源をミュート（消音）できるようなキーが配置されている。例えば、ボーカルのトラックをミュートしてマイナスワン（カラオケ）として楽しむことができる。これにより、ユーザＵｊの好みによる音楽環境を創出できるようになる。
【０２３０】
更に、ミュートキー表示領域Ｐ３５の下方には、エフェクタ表示領域Ｐ３６が割り当てられる。この例で、エフェクタ表示領域Ｐ３６には、チャンネル「３」のベースに対して、スペシャルキーが表示され、チャンネル「４」のキーボードに対して、スペシャルキーＫ１１，Ｋ１２、コーラスキーＫ１３及びリバーブキーＫ１４が表示され、チャンネル「５」のボーカルに対して、ブーストキーＫ１５が表示される。これらのキーＫ１１〜Ｋ１５を選択することで、ライブ音楽の音質を調整できるようになされる。これらの音量調整フェーダ３４１や、マスタボリューム３４２、キーＫ１１〜Ｋ１５はマウス等によるポインタによって移動される。
【０２３１】
［サラウンド設定例］
図２１はインターネットテレビ６０上のサラウンド調整画面Ｐ４の表示例を示す図である。この例では、図１９Ｂに示したリモコン３００の＋／−キーＫ７，Ｋ８で選択されたチャンネルのサラウンドパン（音像の位置）を調整できるようにした。これから主流になるであろう、サラウンドの設定を、ユーザＵｊの好みに応じて行えるようにしたためである。
【０２３２】
図２１に示すサラウンド調整画面Ｐ４は、図２０に示したサラウンドパンナ表示領域Ｐ３３で、例えば、チャンネル「５」を選択することにより、音声入力設定画面Ｐ３からサラウンド調整画面Ｐ４へ表示が切り替わったものである。サラウンド調整画面Ｐ４には、例えば、チャンネル「５」のボーカルＬ＃２が表示される。この表示領域に隣接してサラウンドパン（ＳＵＲＲＯＵＮＤ  ＰＡＮ；音像位置）表示領域Ｐ４１が割り当てられる。このサラウンドパン表示領域Ｐ４１には、視聴位置を原点にしたスピーカ位置を示す第１象限〜第４象限を有するグラフが表示される。
【０２３３】
このグラフの周辺には、第１象限を選択する「Ｒ」タグＴＧ４、第２象限を選択す「Ｌ」タグＴＧ５、第３象限を選択する「ＬＳ」タグＴＧ６、及び、第４象限を選択する「ＲＳ」タグＴＧ７が表示される。この他に、「Ｒ」タグＴＧ４と「Ｌ」タグＴＧ５の間には、中央位置を示す「Ｃ」タグＴＧ８や、重低音用のスピーカを示す「ＳＷ」タグＴＧ９が配置されている。「ＬＳ」タグＴＧ６と「ＲＳ」タグＴＧ７の間には、記録保存を示す「ＦＤディスク」タグＴＧ１０が配置されている。
【０２３４】
また、グラフの右側には、書込み用の「ＷＲＩＴＥ」タグＴＧ１１や、設定用の「ＳＥＴ」タグＴＧ１２が配置される。この「ＷＲＩＴＥ」タグＴＧ１１と「ＳＥＴ」タグＴＧ１２の間には、センタースピーカの音量を示す領域Ｐ４２が割り当てられる。この例では、ＤＩＶ「５０％」が表示される。
【０２３５】
このようなサラウンド調整画面Ｐ４において、例えば、図２１に示すチャンネル「５」でボーカルを選択すると、図２０に示したボーカルの位置は、第１象限（Ｒ）に位置している。しかし、ユーザＵｊの好みとして、ボーカルは、やっぱり、センター（Ｃ）を定位として欲しいと思えば、図２１に示した「ＷＲＩＴＥ」タグＴＧ１１の選択→「Ｃ」タグＴＧ８の選択→「ＳＥＴ」タグＴＧ１２の選択を順次実行することにより、センターへの音像位置を変更できるようになされる。
【０２３６】
［映像選択例］
図２２はライブ映像画面Ｐ５の表示例、図２３Ａ及び図２３Ｂはそのライブ映像選択画面Ｐ５３及び拡大画面Ｐ５４を各々示す図である。この例ではライブ映像を表示する画面に関して「オプションＣ」が選択されると、４つに分割されたライブ映像が一画面中に表示される。この４つに分割されたライブ映像は、ライブハウス＃１等で４台のカメラ＃Ｃ１〜＃Ｃ４により撮影して得た４ＣＨのライブ映像データに基づくものである。
【０２３７】
図２２において、Ｐ５１はボーカルを含む全体演奏者のライブ映像画面である。Ｐ５２はギター「１」及び「２」を演奏するミュージシャンのライブ映像画面である。Ｐ５３はギター「１」を演奏するミュージシャンのライブ映像画面である。Ｐ５４はボーカルを担当するミュージシャンのライブ映像画面である。
【０２３８】
この例では、図１９Ｂに示したリモコン３００の矢印キーＫ２〜Ｋ５で見たい画面を選択する、例えば、ライブ映像画面Ｐ５３を選択すると、図２２に示した４つに分割されたライブ映像が、図２３Ａに示すライブ映像選択画面Ｐ５３に切り替わるようになされる。この図２３Ａに示すライブ映像選択画面Ｐ５３にウインドウ枠を設定し、リモコン３００の＋／−キーＫ７，Ｋ８を操作して、ウインドウ枠の大きさを可変できるようになされる。この例では、ベースギター奏者の手元付近にウインドウ枠が設定され、このベースギター奏者の手元付近を拡大表示（クローズアップ）するようになされる。
【０２３９】
これらを前提にして、図１９〜図２３を参照しながら、受信側システム２００におけるＧＵＩ操作例について説明をする。図２４及び図２５は受信側システム２００におけるＧＵＩ操作例（その１、２）を示すフローチャートである。
【０２４０】
この実施例では再生方式に関して、先に説明した「スタンダード」、「オプションＡ」〜「オプションＣ」が準備されている場合を例に挙げる。これを処理条件にして、まず、図２４に示すフローチャートのステップＶ１でユーザＵｊは、インターネットテレビ６０上で映像付き高音質音楽ライブ配信システム１００のＷｅｂを立ち上げる。もちろん、ノートパソコン上で当該システム１００を立ち上げてもよい。
【０２４１】
このシステム立ち上げにより、ステップＶ２でインターネットテレビ６０の初期画面には、図示しない「ライブ新着情報」や、「視聴可能なライブ情報」、「ミュージシャン検索情報」等が表示される。その後、ユーザＵｊは自分が視聴したいと思うライブ情報をステップＶ３で選択する。ライブ情報を選択しない場合は、ステップＶ２０に移行する。ライブ情報を選択する場合は、ステップＶ４に移行して、ユーザＵｊはＩＤ／パスワードを入力する。
【０２４２】
このＩＤ／パスワードが入力されると、ステップＶ５に移行してライブ映像及び音楽データＤｏｕｔの再生方式が選択される。このとき、インターネットテレビ６０のモニタ画面には、図示しない「視聴タイプの選択」→（ＣＤクオリティ）、（２ＣＨ、９６Ｋ−２４Ｂｉｔ）〜（マルチトラック、ＤＳＤ、マルチ画面）の選択項目や、これらの利用料金、「おまかせ」モードＭＤ１、「自分で設定」モードＭＤ２等が表示される。ユーザＵｊはこの中から希望の再生方式を選択するようになされる。
【０２４３】
ここでユーザＵｊが「おまかせ」モードＭＤ１を選択すると、ステップＶ６に移行して当該モードに係る利用料金が表示される。このとき、タイプ毎の視聴（購入）金額を表示するようにしてもよい。その後、ステップＶ７に移行して「視聴の金額」の確認がなされる。「おまかせ」モードＭＤ１に係る利用料金を承認「ＯＫ」する場合は、ステップＶ８に移行する。これにより、視聴のタイプが決定される。また、この利用料金を承認「ＯＫ」しない場合は、図示しない「キャンセル」キーを押下することにより、「おまかせ」モードＭＤ１の選択を取りやめることができる。その後、ステップＶ２０に移行する。ステップＶ８では、「スタンダード」を実行するべくパラメータが設定される。
【０２４４】
この「スタンダード」では、ステージ全体を撮影するカメラ＃Ｃ１により撮影された１ＣＨのライブ映像及び、左右のマイクロフォンにより収録した高音質、編集済の２ＣＨのライブ音楽が再生される。この「スタンダード」の再生方式によれば、初めにステージ全体を見たり、その演奏を聴くことができる。その後、ステップＶ２０に移行する。
【０２４５】
また、上述のステップＶ５で「自分で設定」モードＭＤ２を選択すると、ステップＶ９に移行して「オプションＡ」、あるいは、それ以外のオプションが選択される。「オプションＡ」が選択された場合は、ステップＶ１０に移行して当該モードに係る利用料金が表示される。このとき、タイプ毎の視聴（購入）金額が表示される。
【０２４６】
その後、ステップＶ１１に移行して「視聴の金額」の確認がなされる。「自分で設定」モードＭＤ２に係る利用料金を承認「ＯＫ」する場合は、ステップＶ１２に移行する。これにより、視聴のタイプが決定され、「オプションＡ」が実行される。「オプションＡ」では、２台のカメラ＃Ｃ１及び＃Ｃ２により撮影された２ＣＨのライブ映像及び、左右のマイクロフォンにより収録した高音質、編集済の４ＣＨのライブ音楽を再生するようになされる。「オプションＡ」の再生方式は、例えば、他のカメラアングルや音声のチャンネル数を増やしたい場合に選択される。なお、この利用料金を承認「ＯＫ」しない場合は、「キャンセル」キーを押下することにより、「自分で設定」モードＭＤ２の選択を取りやめることができる。
【０２４７】
更に、ステップＶ９で「オプションＡ」以外のオプションが選択された場合は、例えば、図２５に示すフローチャートのステップＶ１３に移行して、「オプションＢ」が選択されたかをチェックされる。「オプションＢ」が選択された場合は、ステップＶ１４に移行して当該モードに係る利用料金が表示される。
【０２４８】
その後、ステップＶ１５に移行して「視聴の金額」の確認がなされる。「自分で設定」モードＭＤ２に係る利用料金を承認「ＯＫ」する場合は、ステップＶ１６に移行する。この利用料金を承認「ＯＫ」しない場合は、「キャンセル」キーを押下することにより、「自分で設定」モードＭＤ２の選択を取りやめることができる。
【０２４９】
ステップＶ１６では「オプションＢ」が実行される。「オプションＢ」では、３つのカメラ＃Ｃ１〜＃Ｃ３等により撮影された３ＣＨのライブ映像及び、左右のマイクロフォンにより収録した高音質、編集済の８ＣＨのライブ音楽を再生するようになされる。音声に関しては、「オプションＡ」と同様に編集済みであるが、各ＣＨの音量調整が可能となっている。この「オプションＢ」の再生方式は、更なる要望として、他のカメラアングルや音声のチャンネル数を増やしたい場合に選択される。
【０２５０】
また、ステップＶ１３で「オプションＡ、Ｂ」以外、すなわち、「オプションＣ」を選択する場合は、ステップＶ１７に移行して、当該モードに係る利用料金が表示される。その後、ステップＶ１８に移行して「視聴の金額」の確認がなされる。「自分で設定」モードＭＤ２に係る利用料金を承認「ＯＫ」する場合は、ステップＶ１９に移行する。この利用料金を承認「ＯＫ」しない場合は、「キャンセル」キーを押下することにより、「自分で設定」モードＭＤ２の選択を取りやめることができる。
【０２５１】
ステップＶ１９では「オプションＣ」が実行される。「オプションＣ」では、４つのカメラ＃Ｃ１〜＃Ｃ４により撮影された４ＣＨのライブ映像及び、左右のマイクロフォンにより収録した高音質、編集済の１６ＣＨのライブ音楽を再生するようになされる。音声に関して、「オプションＡ」と同様に編集済みであるが、各ＣＨの音量調整及び、音質をユーザＵｊが調整することが可能となる。
【０２５２】
例えば、図２２に示したような４つに分割された画面に表示が切り替わる。ここで、図１９Ｂに示したリモコン３００の矢印キーＫ１等で見たい画面を選択する、例えば、ライブ映像画面Ｐ５３を選択すると、図２２に示した４つに分割されたライブ映像が、図２３Ａに示すライブ映像選択画面Ｐ５３の全体表示に切り替わるようになされる。このとき、例えば、図２３Ａに示したライブ映像選択画面Ｐ５３にウインドウ枠を設定し、リモコン３００の＋／−キーＫ７，Ｋ８を操作して、ウインドウ枠の大きさを可変するように操作される。また、ベースギター奏者の手元付近にウインドウ枠を設定し、このベースギター奏者の手元付近を拡大表示することもできる。
【０２５３】
また、音声調整に関しては、図２０に示した音声入力設定画面Ｐ３等をインターネットテレビ６０上に表示し、この音声入力設定画面Ｐ３で各楽器やボーカル、コーラス毎に、音量調整フェーダを上下に移動したり、ライブ音楽の音源毎に音量調整するようになされる。これにより、ライブ音楽を構成する各楽器やボーカル、コーラス等の音量バランスを取ることができる。更に、図２１に示したサラウンド調整画面Ｐ４をインターネットテレビ６０上に表示し、図１９Ｂに示したリモコン３００の＋／−キーＫ７，Ｋ８を操作してサラウンドパン（音像の位置）を調整するようにしてもよい。
【０２５４】
このようにして、本発明に係る実施例としての映像付き高音質音楽ライブ配信システムにおける情報処理方法によれば、アーティストＭｉによるライブに基づくライブ映像及び音楽データＤｏｕｔを配信して処理する場合に、ライブハウス＃１等におけるライブ映像を撮影する４台のカメラ＃Ｃ１〜＃Ｃ４の操作、ライブ音楽を収録する１６本のマイクロフォン＃Ｍ１〜＃Ｍ１６の操作及び、これらの撮影・収録レベルの調整等を人手を介さずにコンテンツ配信サイト１０２において設定できるので、ライブハウス＃１等での収録オペレータの無人化を図ることができる。
【０２５５】
従って、世界各地に存在するライブハウス＃１等で実演され、このライブ演奏によって収録される映像音楽素材データＤｉｎを一元編集及びアーティストＭｉの著作権を一元管理することができ、そのアーティストＭｉによるライブ映像及び音楽に関するライブ映像及び音楽データＤｏｕｔを全世界に配信可能な新たな映像付き高音質音楽ライブ配信システム１００を構築することができる。
【０２５６】
また、本発明に係る実施例によれば、違法複製（コピー）が困難なデータストリーミング形式によりライブ映像及び音楽データＤｏｕｔを電子配信するようになされるので、視聴時の情報処理装置＃Ｐｊとってデータ処理負担を軽減すること、及び、ユーザＵｊとって高画質な映像情報及び高音質な音楽情報を得たいとする高度な要求を満足させることができる。
【０２５７】
この発明は、このような効果に加えて、以下のような効果がある。アーティストＭｉの中で人気があるアーティスト達の１回限りのライブ演奏等を熱心な音楽ファンに対してネット配信することができる。しかも、既存ソフトとは異なり、インターネットでしか視聴できない貴重なソフトウエアを提供することができる。
【０２５８】
また、情報提供業者４はライブ映像及び音楽データＤｏｕｔにより固定ファンを開拓できると共に、多くの新規ユーザＵｊを獲得できるようになる。しかも、ライブハウス＃１等における収録オペレータの無人化が図れることから、低コストにもかかわらず高品質な音楽ソフトを制作することができ、ブロードバンド時代に相応しいソフトウエアを数多く提供できるようになる。
【０２５９】
本発明の発展形として、コンテンツ配信サイト１０２におけるオペレートソフトを作成し、収録から編集、配信（送出）に至るまでの全てを無人化及び自動化を図り、高品質音楽ソフトウエアを数多く作成可能な環境を提供できるようになる。本発明を利用することにより、高品質音楽ソフト制作が可能であることから、ジャンルの異なる音楽ソフトウエア（例：ソウル、Ｒ＆Ｂ、クラシック、民族音楽等）への適用ができ、音楽ソフトウエア自体の幅が広がり、種類、数量も増えて多くのユーザＵｊの興味・要望を受容できるようになる。
【０２６０】
【発明の効果】
以上説明したように、本発明に係る電子情報配信システム及び情報処理方法によれば、実演家による実演を収録して得た映像音楽素材情報を入力して情報編集処理した実演映像及び実演音楽に係る電子情報内容を配信する情報編集配信装置を備え、この情報編集配信装置は、その実演家による実演映像及び実演音楽を自動収録するように通信手段を通じて情報収録送出装置の各々を遠隔制御するものである。
【０２６１】
この構成によって、実演映像を撮影する撮影手段の操作、実演音楽を収録する収音手段の操作及び、これらの撮影・収録レベルの調整等を人手を介さずに設定できるので、実演地（ライブハウス）での収録オペレータの無人化を図ることができる。従って、世界各地に存在するライブハウス等で実演され、この実演によって収録される映像音楽素材情報を一元編集及び実演家の著作権を一元管理することができ、その実演家による実演映像及び実演音楽に関する電子情報内容を全世界に配信する電子情報配信システムを構築することができる。
【０２６２】
本発明に係る情報収録送出装置によれば、実演家による実演に基づく実演情報及び実演音楽を収録出力制御をする情報出力制御手段を備え、この情報出力制御手段は、情報編集配信装置から遠隔制御情報を受信し、実演家による実演映像及び実演音楽を自動収録するように撮影手段及び収音手段を遠隔制御するものである。
【０２６３】
この構成によって、撮影手段や収音手段の操作及び、これらの撮影・収録レベルの調整等を人手を介さずに設定できるので、実演地での収録オペレータの無人化を図ることができる。従って、実演家による実演映像及び実演音楽に関する電子情報内容を全世界に配信する電子情報配信システムの構築に十分応用することができる。
【０２６４】
本発明に係る情報編集配信装置によれば、実演家による実演に基づく映像音楽素材情報を編集配信制御する編集配信制御手段を備え、この編集配信制御手段は、情報収録送出装置へ遠隔制御情報を送信し、その実演家による実演映像及び実演音楽を自動収録するように情報収録送出装置を遠隔制御するするものである。
【０２６５】
この構成によって、実演映像を撮影する撮影手段の操作、実演音楽を収録する収音手段の操作及び、これらの撮影・収録レベルの調整等を人手を介さずに設定できるので、実演地での収録オペレータの無人化を図ることができる。従って、世界各地に存在するライブハウス等で実演され、この実演によって収録される映像音楽素材情報を一の国で一元編集及び実演家の著作権を一元管理することができ、その実演家による実演映像及び実演音楽に関する電子情報内容を全世界に配信する電子情報配信システムの構築に十分応用することができる。
【０２６６】
この発明は、ライブハウス等で実演される実演家の実演映像及び実演音楽を配信提供する映像付き高音質音楽ライブ配信ビジネス等に適用して極めて好適である。
【図面の簡単な説明】
【図１】本発明に係る実施形態としての電子情報配信システム１０の構成例を示す概念図である。
【図２】電子情報配信システム１０における電子情報内容の流れを示す図である。
【図３】電子情報配信システム１０における処理例を示すフローチャートである。
【図４】本発明に係る実施例として映像付き高音質音楽ライブ配信システム１００の構成例を示す図である。
【図５】当該システム１００におけるコンテンツ及び金銭等の流通例を示す図である。
【図６】本発明に係る実施例としての情報収録送出装置＃Ｌ１等の内部構成例を示すブロック図である。
【図７】ライブ映像及び音楽情報の収録機器等の配置例（前面）を示す立体図である。
【図８】ライブ映像及び音楽情報の収録機器等の配置例（上面）を示す平面図である。
【図９】情報収録送出装置＃Ｌｉの自動調整例を示すフローチャートである。
【図１０】Ａ及びＢは情報収録送出装置＃Ｌｉによる自動収録例を示すフローチャートである。
【図１１】本発明に係る実施例としての情報編集配信装置１の構成例を示すブロック図である。
【図１２】情報編集配信装置１における遠隔操作例を示す図である。
【図１３】情報編集配信装置１における情報収録時の遠隔制御例を示すフローチャートである。
【図１４】情報編集配信装置１における情報編集時の処理例を示すフローチャートである。
【図１５】情報編集配信装置１における情報配信時の処理例を示すフローチャートである。
【図１６】本発明に係る映像付き高音質音楽ライブ配信システム１００における受信側システム２００の構成例を示すブロック図である。
【図１７】ノート型のパソコン９０を使用した受信側システム２００の構成例を示す概念図である。
【図１８】インターネットテレビ６０を使用した受信側システムの構成例を示す概念図である。
【図１９】Ａ及びＢはメニュー選択画面Ｐ２の表示例及びリモコン３００の操作例を示す図である。
【図２０】インターネットテレビ６０上の音声入力設定画面Ｐ３の表示例を示す図である。
【図２１】インターネットテレビ６０上のサラウンド調整画面Ｐ４の表示例を示す図である。
【図２２】ライブ映像画面Ｐ５の表示例を示す図である。
【図２３】Ａ及びＢはそのライブ映像選択画面Ｐ５３及びその拡大画面Ｐ５４の表示例を示す図である。
【図２４】受信側システム２００におけるＧＵＩ操作例（その１）を示すフローチャートである。
【図２５】受信側システム２００におけるＧＵＩ操作例（その２）を示すフローチャートである。
【符号の説明】
１・・・情報編集配信装置、２Ａ，２Ｂ・・・通信手段、１０・・・電子情報配信システム、１１・・・編集サイト、１２・・・素材ファイル、１３・・・編集済みファイル、１４・・・完パケファイル、１５・・・配信サーバ、１６・・・アーチスト管理サーバ、１７・・・自動編集加工部、１８・・・コンテンツサーバ、２０Ａ，２０Ｂ・・・インターネット（通信手段）、２２・・・駆動制御部、２３、４０・・・通信モデム、５０・・・ルータ、６０・・・インターネットテレビ、７０・・・ホームサーバ、８０・・・ＡＶアンプ、９０・・・パソコン、＃Ｌｉ（ｉ＝１〜ｎ）・・・情報収録送出装置、１００・・・映像付き高音質音楽ライブ配信システム（電子情報配信システム）、２００・・・受信側システム
【図１】
2004328377.tif 000003
【図２】
2004328377.tif 000004
【図３】
2004328377.tif 000005
【図４】
2004328377.tif 000006
【図５】
2004328377.tif 000007
【図６】
2004328377.tif 000008
【図７】
2004328377.tif 000009
【図８】
2004328377.tif 000010
【図９】
2004328377.tif 000011
【図１０】
2004328377.tif 000012
【図１１】
2004328377.tif 000013
【図１２】
2004328377.tif 000014
【図１３】
2004328377.tif 000015
【図１４】
2004328377.tif 000016
【図１５】
2004328377.tif 000017
【図１６】
2004328377.tif 000018
【図１７】
2004328377.tif 000019
【図１８】
2004328377.tif 000020
【図１９】
2004328377.tif 000021
【図２０】
2004328377.tif 000022
【図２１】
2004328377.tif 000023
【図２２】
2004328377.tif 000024
【図２３】
2004328377.tif 000025
【図２４】
2004328377.tif 000026
【図２５】
2004328377.tif 000027